(57)【特許請求の範囲】
【請求項１】
所定の記録媒体に記録されている複数の映像データの中から、サムネイル画像の登録を行う対象映像データを特定する対象映像データ特定手段と、
前記複数の映像データにおける一の映像データ内のサムネイル画像記録エリア内に任意の画像が保存されることによるサムネイル設定があらかじめ行われているとともに、前記対象映像データに対して相互に関連のある映像データとして特定された前記一の映像データを親映像データとして指定する親映像データ指定手段と、
前記親映像データの前記サムネイル画像記録エリアに保存されている前記画像を、前記対象映像データのサムネイル画像記録エリアに保存する画像記録手段と、
前記画像記録手段によって前記画像が保存された前記対象映像データの前記サムネイル画像記録エリア内の前記画像を読み出す画像読み出し手段と、
前記対象映像データ内に含まれる映像データ固有情報を読み出す映像データ固有情報読み出し手段と、
前記画像読み出し手段によって読み出された前記画像の図柄上に、前記映像データ固有情報が表示されるように合成して、前記対象映像データのサムネイル画像である合成サムネイル画像を作成する画像合成手段とを、
有する映像データ情報生成装置。
【請求項２】
所定の記録媒体に記録されている複数の映像データの中から、サムネイル画像の登録を行う対象映像データを特定する対象映像データ特定手段と、
前記複数の映像データにおける一の映像データ内の任意の位置の画像をサムネイル元画像とし、そのサムネイル元画像がサムネイル表示用に加工された画像の図柄上に、前記一の映像データに含まれる映像データ固有情報が表示されるように合成された合成サムネイル画像が前記一の映像データのサムネイル画像記録エリア内に保存されることによるサムネイル設定があらかじめ行われているとともに、前記対象映像データに対して相互に関連のある映像データとして特定された前記一の映像データを親映像データとして指定する親映像データ指定手段と、
前記対象映像データ内に含まれる映像データ固有情報を読み出す映像データ固有情報読み出し手段と、
前記親映像データの前記サムネイル画像記録エリアに保存されている前記合成サムネイル画像の基データであるサムネイル表示用に加工された前記画像の図柄上に、前記対象映像データの前記映像データ固有情報が表示されるように合成して、前記対象映像データの合成サムネイル画像を作成する画像合成手段と、
前記対象映像データの前記合成サムネイル画像を、前記対象映像データのサムネイル画像記録エリアに保存する画像記録手段と、
前記画像記録手段によって前記合成サムネイル画像が保存された前記対象映像データの前記サムネイル画像記録エリア内の前記合成サムネイル画像を読み出す画像読み出し手段とを、
有する映像データ情報生成装置。
【発明の詳細な説明】
【技術分野】
【０００１】
本発明は、ＤＶＤ（Digital Versatile Disc）などの光ディスク、ＨＤＤ（Hard Disk 
Drive：ハードディスクドライブ）、半導体メモリなどの大容量の記録媒体に記録された
映像データのコンテンツに関する情報を表示画面上に表示させるための映像データ情報生成装置に関し、特に、サムネイル画像を用いて、記録媒体に記録されているコンテンツの見出し表示を行うための映像データ情報生成装置に関する。
【背景技術】
【０００２】
従来、放送番組（テレビ番組）などの映像（及び音声）のコンテンツの記録再生を行う
記録再生装置としては、ビデオテープを用いたＶＴＲ（Video Tape Recorder：ビデオテ
ープレコーダ）が知られているが、近年では、ＤＶＤ、ＨＤＤ、半導体メモリなどの大容
量の記録媒体を用いて映像データの記録再生を行うＨＤＤレコーダやＤＶＤレコーダなど
の記録再生装置が知られている。上記のＨＤＤレコーダやＤＶＤレコーダなどの特徴は、
テープメディアとは比較にならないほどの長時間録画や、膨大な量の番組の記録が可能で
ある点、さらには、記録された映像データ（タイトル）へのランダムアクセスが可能であ
る点などであり、こうした特徴によって、ユーザの利便性の向上が実現されている。なお
、記録再生装置によって記録媒体に記録された映像データ（１つの番組）は、一般にタイ
トルと呼ばれている。
【０００３】
また、記録媒体に記録された数多くのタイトルを管理する際の利便性を向上させるため
に、記録媒体に記録されたタイトルを一覧表示するタイトル一覧表示機能が知られている
。さらに、このタイトル一覧表示機能の利便性を向上させるために、数多くのタイトルの
中から所望のタイトルをユーザが直感的に探し出せるようにするために、サムネイル画像
（映像データ内の任意の画像）を表示することによって、タイトルの一覧表示を行うサム
ネイル表示機能なども知られている。なお、サムネイル表示では、静止画像がサムネイル
画像として用いられるだけではなく、動画像がサムネイル画像として用いられることもあ
る。
【０００４】
サムネイル表示機能に関しては、例えば、下記の特許文献１、２などに開示されている
技術が存在する。例えば特許文献１に開示されている技術によれば、各タイトル表示に用
いられるサムネイル画像として、例えば、タイトルの先頭に位置する画像（先頭画像）や
先頭から一定時間の位置の画像、あるいは最後の再生停止位置画像などの使用が可能であ
る。また、例えば特許文献２に開示されている技術によれば、ネットワークなどからのＥ
ＰＧ（Electronic Program Guide：電子番組ガイド）情報として、記録媒体に記録される
タイトルを代表する画像を取得し、この画像をサムネイル表示の際に用いられるサムネイ
ル画像として用いることが可能である。
【０００５】
＜従来の技術の第１の例＞
また、図２０及び図２１Ａ、図２１Ｂを参照しながら、従来の技術におけるサムネイル
機能の第１の例について説明する。図２０は、従来の技術の第１の例におけるサムネイル
表示の概要を示す図である。図２０には、記録媒体に記録されているタイトル２００１の
任意の場面（サムネイル元画像２００６）が表示画面にサムネイルとして表示される様子
が模式的に図示されている。記録媒体に記録されているタイトル２００１は、タイトルス
タート情報２００２と、タイトル名やサムネイルポインタ（後続のタイトルデータ２００
４内におけるサムネイル画像の位置を示す画像位置情報）２０１１や日時などの情報を付
加するタイトル情報エリア２００３と、実際の録画データ（コンテンツデータ）の格納部
に相当するタイトルデータ２００４と、データの終わりを示すタイトルエンド情報２００
５とにより構成されている。
【０００６】
上述のタイトル２００１のタイトル情報エリア２００３の中には、タイトルデータ２０
０４内の任意の画像を指定するためのサムネイルポインタ２０１１を記録することが可能
である。その結果、例えば、ユーザがタイトルデータ２００４内の所望の画像を指定する
などの操作を行って、サムネイルポインタ２０１１を設定することで、タイトル２００１
を代表するサムネイル画像として使用する画像がサムネイルポインタ２０１１で指定され
るようになる。
【０００７】
次に、従来の技術の第１の例におけるサムネイル登録処理及びサムネイル表示処理につ
いて説明する。図２１Ａは、従来の技術の第１の例において、記録媒体に記録されている
タイトルに関してサムネイルを登録する場合のユーザ操作の一例を示すフローチャートで
あり、図２１Ｂは、従来の技術の第１の例において、記録媒体に記録されているサムネイ
ル一覧を表示する場合のデータ再生装置の処理の一例を示すフローチャートである。
【０００８】
まず、図２１Ａを参照しながら、サムネイルの登録を行う場合について説明する。図２
１Ａに示すように、ユーザによって記録媒体に記録されたサムネイルの登録処理が開始さ
れた場合、例えばモニタに記録媒体内のタイトル２００１の一覧が表示される。ここで、
ユーザは、記録媒体内に操作対象とするタイトル２００１が存在するか否かの判断を行い
（ステップＳ２１０１）、サムネイルの登録処理を行う対象のタイトル２００１が存在し
ない場合には、処理は終了となる。
【０００９】
一方、サムネイルの登録処理を行う対象のタイトル２００１が存在する場合には、ユー
ザは、タイトルデータ２００４の再生などによってタイトルデータ２００４内の画像の閲
覧を行いながら、サムネイル画像として適切な画像の検索を行う（ステップＳ２１０２）
。このとき、サムネイル画像として適切な画像が見つからなかった場合（ステップＳ２１
０３で『いいえ』）には、例えば、サムネイルポインタ２０１１として所定の初期ポイン
タ（例えばタイトルデータ２００４の先頭画像を示す画像位置情報）が設定され（ステッ
プＳ２１０４）、別のタイトル２００１に対するサムネイル設定のためにステップＳ２１
０１に戻る。
【００１０】
一方、サムネイル画像として適切な画像が見つかった場合（ステップＳ２１０３で『は
い』）には、その画像の位置を示す画像位置情報が、タイトル情報エリア２００３内のサ
ムネイルポインタ２０１１に設定され（ステップＳ２１０５）、別のタイトル２００１に
対するサムネイル設定のためにステップＳ２１０１に戻る。なお、例えば、タイトル２０
０１が記録された直後のサムネイルポインタ２０１１（ユーザ操作によるサムネイルの登
録処理が行われる前のサムネイルポインタ２０１１）には、記録装置によって、タイトル
データ２００４の先頭画像を示す画像位置情報が自動的に登録される場合もある。
【００１１】
次に、図２１Ｂを参照しながら、図２１Ａに示す登録処理が行われたタイトル２００１
のサムネイル表示を行う場合について説明する。図２１Ｂに示すように、ユーザ要求によ
って記録媒体に記録されたタイトル２００１のサムネイル表示処理が開始された場合、ま
ず、データ再生装置は、記録媒体内に表示対象となるタイトル２００１が存在するか否か
を判断する（ステップＳ２１２１）。ここで、サムネイルの表示処理を行う対象のタイト
ル２００１が存在しない場合には、処理は終了となる。
【００１２】
一方、サムネイルの表示処理を行う対象のタイトル２００１が存在する場合には、デー
タ再生装置は、サムネイル表示させるタイトル２００１のタイトル情報エリア２００３を
読み取り、タイトル情報エリア２００３内に設定保存されているサムネイルポインタ２０
１１を取得する（ステップＳ２１２２）。そして、タイトルデータ２００４の中から、上
記のサムネイルポインタ２０１１によって指定される画像をサムネイル元画像２００６と
して取得し（ステップＳ２１２３）、サムネイル元画像２００６をサムネイルのサイズに
縮小するなどの処理を行って縮小サムネイル画像２００７を作成して（ステップＳ２１２
４）、作成された縮小サムネイル画像２００７をサムネイル画像としてモニタに表示する
（ステップＳ２１２５）。また、別のタイトル２００１に対するサムネイル表示を行うた
めにステップＳ２１２１に戻る。
【００１３】
また、従来の技術の第１の例では、記録媒体に記録されている複数のタイトル２００１
のそれぞれにおいて、サムネイルポインタ２０１１が独立して設定され、サムネイル表示
の際には、各サムネイルポインタ２０１１が示す画像位置情報に基づいて、各タイトル２
００１の縮小サムネイル画像２００７が作成される。そして、作成された各タイトル２０
０１の縮小サムネイル画像２００７が順次、モニタ上に配列表示されることによって、サ
ムネイル一覧表示が行われる。
【００１４】
＜従来の技術の第２の例＞
次に、図２２及び図２３Ａ、図２３Ｂを参照しながら、従来の技術におけるサムネイル
機能の第２の例について説明する。図２２は、従来の技術の第２の例におけるサムネイル
表示の概要を示す図である。図２２には、記録媒体に記録されているタイトル２２０１の
任意の場面（サムネイル元画像２２０６）がモニタにサムネイルとして表示される様子が
模式的に図示されている。記録媒体に記録されるタイトル２２０１は、タイトルスタート
情報２２０２と、タイトル名やサムネイル画像データや日時などの情報を付加するタイト
ル情報エリア２２０３と、実際の録画データ（コンテンツデータ）の格納部に相当するタ
イトルデータ２２０４と、データの終わりを示すタイトルエンド情報２２０５とにより構
成されている。
【００１５】
タイトル２２０１のタイトル情報エリア２２０３の中には、タイトルデータ２２０４内
の任意の画像を保存するためのサムネイル画像記録エリアが設けられている。その結果、
例えば、ユーザがタイトルデータ２２０４内の所望の画像を指定するなどの操作を行って
、指定された画像（サムネイル元画像）を縮小することによって生成される縮小サムネイ
ル画像２２０７をサムネイル画像記録エリアに保存することで、タイトル２２０１を代表
するサムネイル画像として、サムネイル画像記録エリアに記録された縮小サムネイル画像
２２０７が指定されるようになる。
【００１６】
次に、従来の技術の第２の例におけるサムネイル登録処理及びサムネイル表示処理につ
いて説明する。図２３Ａは、従来の技術の第２の例において、記録媒体に記録されている
タイトルに関してサムネイルを登録する場合のユーザ操作の一例を示すフローチャートで
あり、図２３Ｂは、従来の技術の第２の例において、記録媒体に記録されているサムネイ
ル一覧を表示する場合のデータ再生装置の処理の一例を示すフローチャートである。
【００１７】
まず、図２３Ａを参照しながら、サムネイルの登録を行う場合について説明する。図２
３Ａに示すように、ユーザによって記録媒体に記録されたサムネイルの登録処理が開始さ
れた場合、例えばモニタに記録媒体内のタイトル２２０１の一覧が表示される。ここで、
ユーザは、記録媒体内に操作対象とするタイトル２２０１が存在するか否かの判断を行い
（ステップＳ２３０１）、サムネイルの登録処理を行う対象のタイトル２２０１が存在し
ない場合には、処理は終了となる。
【００１８】
一方、サムネイルの登録処理を行う対象のタイトル２２０１が存在する場合には、ユー
ザは、タイトルデータ２２０４の再生などによってタイトルデータ２２０４内の画像の閲
覧を行いながら、サムネイル画像として適切な画像の検索を行う（ステップＳ２３０２）
。このとき、サムネイル画像として適切な画像が見つからなかった場合（ステップＳ２３
０３で『いいえ』）には、例えば、サムネイル元画像として所定の画像（例えばタイトル
データの先頭画像）が取得される（ステップＳ２３０４）。
【００１９】
一方、サムネイル画像として適切な画像が見つかった場合（ステップＳ２３０３で『は
い』）には、その画像がサムネイル元画像として取得される（ステップＳ２３０５）。な
お、例えば、タイトル２２０１が記録された直後のサムネイル画像記録エリア（ユーザ操
作によるサムネイルの登録が行われる前のサムネイル画像記録エリア）には、記録装置に
よって、タイトルデータの先頭画像が自動的に保存される場合もある。
【００２０】
次に、上述のステップＳ２３０４又はステップＳ２３０５で取得されたサムネイル元画
像に基づいて、例えば、サムネイル元画像をサムネイルのサイズに縮小するなどの処理が
行われることによって縮小サムネイル画像２２０７が作成される（ステップＳ２３０６）
。そして、作成された縮小サムネイル画像２２０７は、タイトル情報エリア２２０３内の
サムネイル画像記録エリアに保存される（ステップＳ２３０７）ことによって、このタイ
トル２２０１に関するサムネイル登録は終了となり、別のタイトル２２０１に対するサム
ネイル設定のためにステップＳ２３０１に戻る。
【００２１】
次に、図２３Ｂを参照しながら、図２３Ａに示す登録処理が行われたタイトルのサムネ
イル表示を行う場合について説明する。図２３Ｂに示すように、ユーザ要求によって記録
媒体に記録されたタイトル２２０１のサムネイル表示処理が開始された場合、まず、デー
タ再生装置は、記録媒体内に表示対象となるタイトル２２０１が存在するか否かを判断す
る（ステップＳ２３２１）。ここで、サムネイルの表示処理を行う対象のタイトル２２０
１が存在しない場合には、処理は終了となる。
【００２２】
一方、サムネイルの表示処理を行う対象のタイトル２２０１が存在する場合には、デー
タ再生装置は、サムネイル表示させるタイトル２２０１のタイトル情報エリア２２０３内
のサムネイル画像記録エリアから、縮小サムネイル画像２２０７を取得し（ステップＳ２
３２２）、取得した縮小サムネイル画像をモニタに表示する（ステップＳ２３２３）。そ
の後、別のタイトル２２０１に対するサムネイル表示を行うためにステップＳ２３２１に
戻る。
【００２３】
また、従来の技術の第２の例では、記録媒体に記録されている複数のタイトル２２０１
のそれぞれにサムネイル画像記録エリアが設けられ、各タイトル２２０１の縮小サムネイ
ル画像２２０７が保存される。そして、サムネイル表示の際には、各サムネイル画像記録
エリアから縮小サムネイル画像２２０７が読み出されて、読み出された各タイトル２２０
１の縮小サムネイル画像２２０７が順次、モニタ上に配列表示されることによって、サム
ネイル一覧表示が行われる。
【００２４】
＜従来の技術の第３の例＞
次に、図２４及び図２５Ａ、図２５Ｂを参照しながら、従来の技術におけるサムネイル
機能の第３の例について説明する。図２４は、従来の技術の第３の例におけるサムネイル
表示の概要を示す図である。図２４には、記録媒体に記録されているタイトル２４０１の
任意の場面（サムネイル元画像２４０６）が表示画面にサムネイルとして表示される様子
が模式的に図示されている。記録媒体に記録されるタイトル２４０１は、タイトルスター
ト情報２４０２と、タイトル名やタイトルポインタ（サムネイル記録テーブルに保存され
たサムネイル画像の位置を示すポインタ）２４１２や日時などの情報を付加するタイトル
情報エリア２４０３と、実際の録画データ（コンテンツデータ）の格納部に相当するタイ
トルデータ２４０４と、データの終わりを示すタイトルエンド情報２４０５とにより構成
されている。
【００２５】
従来の技術の第３の例では、例えば、タイトル２４０１が記録されている記録媒体と同
一の記録媒体内に、各タイトル２４０１の縮小サムネイル画像２４０７を保持することが
可能なサムネイル記録テーブル２４０９が記録される。また、タイトル２４０１のタイト
ル情報エリア２４０３の中には、サムネイル記録テーブル２４０９内の縮小サムネイル画
像２４０７の位置を示すためのタイトルポインタ２４１２が設けられている。その結果、
例えば、ユーザがタイトルデータ２４０４内の所望の画像を指定するなどの操作を行って
、指定された画像（サムネイル元画像２４０６）から生成される縮小サムネイル画像２４
０７をサムネイル記録テーブル２４０９に記録するとともに、タイトルポインタ２４１２
に、その縮小サムネイル画像２４０７を読み出し可能とする位置情報を設定することによ
って、タイトル２４０１とサムネイル記録テーブル２４０９内の縮小サムネイル画像２４
０７との関連付けが行われる。
【００２６】
次に、従来の技術の第３の例におけるサムネイル登録処理及びサムネイル表示処理につ
いて説明する。図２５Ａは、従来の技術の第３の例において、記録媒体に記録されている
タイトルに関してサムネイルを登録する場合のユーザ操作の一例を示すフローチャートで
あり、図２５Ｂは、従来の技術の第３の例において、記録媒体に記録されているサムネイ
ル一覧を表示する場合のデータ再生装置の処理の一例を示すフローチャートである。
【００２７】
まず、図２５Ａを参照しながら、サムネイルの登録を行う場合について説明する。図２
５Ａに示すように、ユーザによって記録媒体に記録されたサムネイルの登録処理が開始さ
れた場合、例えばモニタに記録媒体内のタイトル２４０１の一覧が表示される。ここで、
ユーザは、記録媒体内に操作対象とするタイトル２４０１が存在するか否かの判断を行い
（ステップＳ２５０１）、サムネイルの登録処理を行う対象のタイトル２４０１が存在し
ない場合には、処理は終了となる。
【００２８】
一方、サムネイルの登録処理を行う対象のタイトル２４０１が存在する場合には、ユー
ザは、タイトルデータ２４０４の再生などによってタイトルデータ２４０４内の画像の閲
覧を行いながら、サムネイル画像として適切な画像の検索を行う（ステップＳ２５０２）
。このとき、サムネイル画像として適切な画像が見つからなかった場合（ステップＳ２５
０３で『いいえ』）には、例えば、サムネイル元画像２４０６として所定の画像（例えば
タイトルデータ２４０４の先頭画像）が取得される（ステップＳ２５０４）。
【００２９】
一方、サムネイル画像として適切な画像が見つかった場合（ステップＳ２５０３で『は
い』）には、その画像がサムネイル元画像２４０６として取得される（ステップＳ２５０
５）。なお、例えば、タイトル２４０１が記録された直後のサムネイル画像記録エリア（
ユーザ操作によるサムネイルの登録が行われる前のサムネイル画像記録エリア）には、記
録装置によって、タイトルデータ２４０４の先頭画像が自動的に保存される場合もある。
【００３０】
次に、上述のステップＳ２５０４又はステップＳ２５０５で取得されたサムネイル元画
像２４０６に基づいて、例えば、サムネイル元画像２４０６をサムネイルのサイズに縮小
するなどの処理が行われることによって縮小サムネイル画像２４０７が作成される（ステ
ップＳ２５０６）。そして、作成された縮小サムネイル画像２４０７は、任意の場所（例
えば、タイトル２４０１が記録されている記録媒体と同一の記録媒体）に置かれているサ
ムネイル記録テーブル２４０９内に保存される（ステップＳ２５０７）。さらに、サムネ
イル記録テーブル２４０９内における縮小サムネイル画像２４０７の位置情報がタイトル
情報エリア２４０３のタイトルポインタ２４１２に設定される（ステップＳ２５０８）こ
とによって、このタイトル２４０１に関するサムネイル登録は終了となり、別のタイトル
２４０１に対するサムネイル設定のためにステップＳ２５０１に戻る。
【００３１】
次に、図２５Ｂを参照しながら、図２５Ａに示す登録処理が行われたタイトル２４０１
のサムネイル表示を行う場合について説明する。図２５Ｂに示すように、ユーザ要求によ
って記録媒体に記録されたタイトル２４０１のサムネイル表示処理が開始された場合、ま
ず、データ再生装置は、記録媒体内に表示対象となるタイトル２４０１が存在するか否か
を判断する（ステップＳ２５２１）。ここで、サムネイルの表示処理を行う対象のタイト
ル２４０１が存在しない場合には、処理は終了となる。
【００３２】
一方、サムネイルの表示処理を行う対象のタイトル２４０１が存在する場合には、デー
タ再生装置は、サムネイル表示させるタイトルのタイトル情報エリア２４０３を読み取り
、タイトル情報エリア２４０３内に設定保存されているタイトルポインタ２４１２を取得
する（ステップＳ２５２２）。そして、所定の場所に保存されているサムネイル記録テー
ブル２４０９を読み出すとともに、このサムネイル記録テーブル２４０９から、上記のタ
イトルポインタ２４１２によって示される位置情報によって特定される縮小サムネイル画
像２４０７を読み出し（ステップＳ２５２３）、読み出された縮小サムネイル画像２４０
７をモニタに表示する（ステップＳ２５２４）。その後、別のタイトル２４０１に対する
サムネイル表示を行うためにステップＳ２５２１に戻る。
【００３３】
また、従来の技術の第３の例では、記録媒体に記録されている複数のタイトル２４０１
のそれぞれの縮小サムネイル画像２４０７がサムネイル記録テーブル２４０９に記録され
るとともに、サムネイル記録テーブル２４０９内における縮小サムネイル画像２４０７の
位置情報を含むタイトルポインタ２４１２が各タイトル２４０１に設定され、サムネイル
表示の際には、各タイトルポインタ２４１２が示す位置情報に基づいて、各タイトル２４
０１の縮小サムネイル画像２４０７が読み出される。そして、読み出された各タイトル２
４０１の縮小サムネイル画像２４０７が順次、モニタ上に配列表示されることによって、
サムネイル一覧表示が行われる。
【００３４】
また、以下に、従来の技術に係る記録再生装置における予約録画の一例について説明す
る。図２６は、従来の技術における予約録画に用いられる予約録画設定テーブルの一例を
示す図である。従来の技術における予約録画設定では、図２６に図示されているような予
約録画設定テーブルに予約録画情報が設定される。図２６に図示されている予約録画設定
テーブルには、予約録画を行う番組のチャンネルを示す予約録画チャンネル（録画ＣＨ）
２６０１、予約録画を行う日付（曜日指定や、毎日、毎週などの繰り返し録画を指定する
情報を含む）を示す録画日２６０２、録画開始時刻２６０３、録画終了時刻２６０４、録
画モード２６０５、記録先２６０６、ジャンル２６０７、番組名２６０８などの項目が含
まれている。
【００３５】
例えば、図２６に図示されている予約録画設定テーブルのＮｏ３では、予約録画チャン
ネル２６０１が「１０ｃｈ」、録画日２６０２が「毎週金曜日」、録画開始時刻２６０３
が「ＰＭ９：００」、録画終了時刻２６０４が「ＰＭ９：５４」、録画モード２６０５が
「普通モード」、記録先２６０６が「ＨＤＤ」、ジャンル２６０７が「ドラマ」、番組名
２６０８が「なし」の予約録画が設定されている。
【００３６】
次に、図２７を参照しながら、従来の技術における予約録画の動作の一例について説明
する。図２７は、従来の技術における予約録画の動作の一例を示すフローチャートである
。図２７において、ユーザが予約録画プログラムの設定を開始した場合には、まず、予約
録画プログラムの設定を支援するプログラム（予約録画ナビ）が起動される（ステップＳ
２７０１）。ユーザは、この予約録画ナビに従って、予約録画チャンネル、録画日、予約
録画時間（録画開始時刻及び録画終了時刻）、録画モード及び記録先、ジャンルや番組名
などの設定を行う（ステップＳ２７０２〜Ｓ２７０６）。
【００３７】
このようにして予約録画実行待ち状態となった予約録画は、録画開始時刻となったとき
に実際に実施される。そして、予約録画が実施されて（ステップＳ２７０７で『はい』）
、記録媒体にタイトルが記録された場合には、記録再生装置は、例えば、予約録画された
タイトルに対して先頭画像をサムネイルとして設定するなどの所定のルールに基づいて、
予約録画されたタイトルにサムネイルを設定する（ステップＳ２７０８）。そして、予約
録画が繰り返し録画の場合（ステップＳ２７０９で『はい』）には、ステップＳ２７０７
に戻って、再度、次の録画日及び録画開始時刻が来るまで予約録画実行待ち状態となり、
予約録画が繰り返し録画ではない場合（ステップＳ２７０９で『いいえ』）には、この予
約録画は終了となる。
【先行技術文献】
【特許文献】
【００３８】
【特許文献１】特開２０００−１３８８８６号公報（図７、８、１２、１３）
【特許文献２】特開２００３−１０１９１６号公報（図５、６、７）
【発明の概要】
【発明が解決しようとする課題】
【００３９】
しかしながら、上述の特許文献１で開示されている技術によれば、タイトルの先頭位置
の画像や一定時間の位置の画像がサムネイル画像として適した画像（ユーザが、そのタイ
トルの内容を一目で分かる図柄を含んだ画像）であるか否かは、番組の作り方や録画時間
などの条件に大きく依存するものであり、こうした所定の位置の画像が、必ずしもサムネ
イル画像として適した画像であるとは限らないという問題がある。また、最後の再生停止
位置画像をサムネイル画像として用いる場合においても、再生動作が行われて初めてユー
ザの意思が反映されたサムネイル画像が設定されるという問題、ユーザが視聴しているタ
イトルの再生を止める場合には、コンテンツとの関連性が少ないＣＭ（コマーシャル）な
どの区切りの良い位置で再生停止を行うケースが多いという問題、所望のタイトルを再生
停止する場合に、その停止タイミングを十分注意しなくては所望のサムネイル画像の設定
をすることが困難であるという問題がある。
【００４０】
以上のように、上述の特許文献１に開示されている技術によれば、サムネイル表示機能
が実現されているにもかかわらず、録画された多くのタイトルに適切なサムネイルを設定
するためには、結局、ユーザが各タイトルのサムネイル画像を随時個別に選択設定する必
要が生じてしまい、ユーザが各タイトルに対してサムネイル設定の操作を行う手間が生じ
るという問題がある。また、記録媒体に連続ドラマなどの関連のある複数のタイトルが記
録されている場合には、ユーザは、サムネイル表示を視認することによって、関連のある
タイトル同士を直感的に同定することができず、さらには、関連のあるタイトル同士を識
別することができないという問題がある。
【００４１】
また、上述の特許文献２に開示されている技術によれば、ＥＰＧ情報を利用してサムネ
イル画像を取得することは可能であるが、一方で、ＥＰＧシステムが利用できない環境下
ではサムネイル画像を取得することが不可能であるという問題がある。また、ＥＰＧ情報
を利用して取得されるサムネイル画像はＥＰＧデータ製作者などの第三者が指定している
画像に過ぎないので、ＥＰＧ情報に含まれる画像が、そのユーザにとってサムネイル画像
として適した画像であるとは限らないという問題がある。つまり、ＥＰＧ情報を利用して
取得されるサムネイル画像は、ユーザ自身が最も分かりやすいサムネイル画像の選択を行
ったものではなく、個々のユーザの嗜好や自由度が失われているという問題がある。特に
、サムネイル表示機能は、ユーザがその図柄を見て直感的にタイトルのコンテンツを判別
するための援助を行うものであり、第三者の判断でコンテンツの代表的なシーン（例えば
、タイトルの先頭位置の画像や一定時間の位置の画像）が選択されたとしても、そのシー
ンの画像によって、ユーザがタイトルのコンテンツを判別することができるという保証は
なく、サムネイル表示機能が十分に活用されないという問題がある。また、上述の特許文
献１に開示されている技術と同様に、特許文献２に開示されている技術においても、記録
媒体に連続ドラマなどの関連のある複数のタイトルが記録されている場合には、ユーザは
、サムネイル表示を視認することによって、関連のあるタイトル同士を直感的に同定する
ことができず、さらには、関連のあるタイトル同士を識別することができないという問題
がある。
【００４２】
また、連続ドラマなどのような相互に関連のある複数のタイトルが記録媒体に記録され
ており、これらの複数のタイトルのサムネイル画像として、例えばドラマのオープニング
画像が用いられた場合には、これらの複数のタイトルのサムネイル画像は同一の図柄とな
ってしまい、ユーザが、サムネイル画像によって関連のあるタイトル同士を識別すること
が不可能となってしまう場合がある。すなわち、ユーザは自分の好みの番組（例えば、毎
週放送される番組）を記録媒体に蓄積する傾向があるが、こうした同一番組のタイトルに
は、各タイトルの識別が困難な画像がサムネイル画像として用いられてしまう可能性があ
り、その結果、サムネイル表示機能が十分に活用されないという問題がある。また、この
ような相互に関連のあるタイトル同士の識別が可能となるように、ユーザは、例えば、各
タイトルの識別を可能とする画像の探索及びこの画像のサムネイル設定などの作業を行う
ことも可能であるが、この場合には、ユーザは個々のタイトルに関してサムネイル設定作
業を行う手間が生じてしまうという問題がある。
【００４３】
上記の問題に鑑み、本発明は、ユーザ本人が、タイトルに対して、自身が直感的に分か
りやすいサムネイル画像を設定できるようにするとともに、記録媒体に記録されている複
数のタイトルの中から、相互に関連のあるタイトルを直感的に同定するとともに、これら
の相互に関連のあるタイトル同士の差異を確実に識別することが可能なサムネイル表示を
実現する映像データ情報生成装置を提供することを目的とする。
【課題を解決するための手段】
【００４４】
上記の目的を達成するため、本発明によれば、
［１］  所定の記録媒体に記録されている複数の映像データの中から、サムネイル画像の登録を行う対象映像データを特定する対象映像データ特定手段と、
前記複数の映像データにおける一の映像データ内のサムネイル画像記録エリア内に任意の画像が保存されることによるサムネイル設定があらかじめ行われているとともに、前記対象映像データに対して相互に関連のある映像データとして特定された前記一の映像データを親映像データとして指定する親映像データ指定手段と、
前記親映像データの前記サムネイル画像記録エリアに保存されている前記画像を、前記対象映像データのサムネイル画像記録エリアに保存する画像記録手段と、
前記画像記録手段によって前記画像が保存された前記対象映像データの前記サムネイル画像記録エリア内の前記画像を読み出す画像読み出し手段と、
前記対象映像データ内に含まれる映像データ固有情報を読み出す映像データ固有情報読み出し手段と、
前記画像読み出し手段によって読み出された前記画像の図柄上に、前記映像データ固有情報が表示されるように合成して、前記対象映像データのサムネイル画像である合成サムネイル画像を作成する画像合成手段とを、
有する映像データ情報生成装置。
が提供される。
また、上記の目的を達成するため、本発明によれば、
［２］  所定の記録媒体に記録されている複数の映像データの中から、サムネイル画像の登録を行う対象映像データを特定する対象映像データ特定手段と、
前記複数の映像データにおける一の映像データ内の任意の位置の画像をサムネイル元画像とし、そのサムネイル元画像がサムネイル表示用に加工された画像の図柄上に、前記一の映像データに含まれる映像データ固有情報が表示されるように合成された合成サムネイル画像が前記一の映像データのサムネイル画像記録エリア内に保存されることによるサムネイル設定があらかじめ行われているとともに、前記対象映像データに対して相互に関連のある映像データとして特定された前記一の映像データを親映像データとして指定する親映像データ指定手段と、
前記対象映像データ内に含まれる映像データ固有情報を読み出す映像データ固有情報読み出し手段と、
前記親映像データの前記サムネイル画像記録エリアに保存されている前記合成サムネイル画像の基データであるサムネイル表示用に加工された前記画像の図柄上に、前記対象映像データの前記映像データ固有情報が表示されるように合成して、前記対象映像データの合成サムネイル画像を作成する画像合成手段と、
前記対象映像データの前記合成サムネイル画像を、前記対象映像データのサムネイル画像記録エリアに保存する画像記録手段と、
前記画像記録手段によって前記合成サムネイル画像が保存された前記対象映像データの前記サムネイル画像記録エリア内の前記合成サムネイル画像を読み出す画像読み出し手段とを、
有する映像データ情報生成装置。
が提供される。
【発明の効果】
【００４５】
本発明は、上記の構成を有しており、関連のある複数のタイトルのそれぞれに係るサム
ネイル画像に関して、同一の図柄上に各タイトルの固有の情報が合成されたサムネイル画
像を実現するので、サムネイル登録の際のユーザ操作性が向上するとともに、記録媒体内
の複数のタイトルから、関連のあるタイトル同士を容易に特定することを可能とし、さら
に、関連のあるタイトル同士を容易に識別することを可能とするサムネイル表示が実現さ
れる。
【図面の簡単な説明】
【００４６】
【図１】本発明の第１〜第６の実施の形態において用いられる記録再生装置の構成の概略を示すブロック図である。
【図２】本発明の第１〜第６の実施の形態において用いられる記録再生装置の記録処理部及び制御部によって実現される機能の一例を示すブロック図である。
【図３】本発明の第１の実施の形態におけるサムネイル表示の概要を示す図である。
【図４Ａ】本発明の第１の実施の形態において、関連のある複数のタイトルのサムネイル一覧表示の概要を示す図である。
【図４Ｂ】本発明の第１の実施の形態においてサムネイル表示されるサムネイル画像の一例を示す図である。
【図５Ａ】本発明の第１の実施の形態において、記録媒体に記録されているタイトルに関してサムネイルを登録する場合のユーザ操作の一例を示すフローチャートである。
【図５Ｂ】本発明の第１の実施の形態において、記録媒体に記録されているサムネイル一覧を表示する場合の処理の一例を示すフローチャートである。
【図６】本発明の第２の実施の形態におけるサムネイル表示の概要を示す図である。
【図７】本発明の第２の実施の形態において、複数のタイトルのサムネイル一覧表示の概要を示す図である。
【図８Ａ】本発明の第２の実施の形態において、記録媒体に記録されているタイトルに関してサムネイルを登録する場合のユーザ操作の一例を示すフローチャートである。
【図８Ｂ】本発明の第２の実施の形態において、記録媒体に記録されているサムネイル一覧を表示する場合の処理の一例を示すフローチャートである。
【図９】本発明の第３の実施の形態におけるサムネイル表示の概要を示す図である。
【図１０】本発明の第３の実施の形態において、複数のタイトルのサムネイル一覧表示の概要を示す図である。
【図１１Ａ】本発明の第３の実施の形態において、記録媒体に記録されているタイトルに関してサムネイルを登録する場合のユーザ操作の一例を示すフローチャートである。
【図１１Ｂ】本発明の第３の実施の形態において、記録媒体に記録されているサムネイル一覧を表示する場合の処理の一例を示すフローチャートである。
【図１２】本発明の第４の実施の形態におけるサムネイル表示の概要を示す図である。
【図１３】本発明の第４の実施の形態において、複数のタイトルのサムネイル一覧表示の概要を示す図である。
【図１４Ａ】本発明の第４の実施の形態において、記録媒体に記録されているタイトルに関してサムネイルを登録する場合のユーザ操作の一例を示すフローチャートである。
【図１４Ｂ】本発明の第４の実施の形態において、記録媒体に記録されているサムネイル一覧を表示する場合の処理の一例を示すフローチャートである。
【図１５】本発明の第５の実施の形態におけるサムネイル表示の概要を示す図である。
【図１６】本発明の第５の実施の形態において、複数のタイトルのサムネイル一覧表示の概要を示す図である。
【図１７Ａ】本発明の第５の実施の形態において、記録媒体に記録されているタイトルに関してサムネイルを登録する場合のユーザ操作の一例を示すフローチャートである。
【図１７Ｂ】本発明の第５の実施の形態において、記録媒体に記録されているサムネイル一覧を表示する場合のデータ再生装置の処理の一例を示すフローチャートである。
【図１８】本発明の第６の実施の形態において用いられる予約録画設定テーブルの一例を示す図である。
【図１９】本発明の第６の実施の形態における予約録画の動作の一例を示すフローチャートである。
【図２０】従来の技術の第１の例におけるサムネイル表示の概要を示す図である。
【図２１Ａ】従来の技術の第１の例において、記録媒体に記録されているタイトルに関してサムネイルを登録する場合のユーザ操作の一例を示すフローチャートである。
【図２１Ｂ】従来の技術の第１の例において、記録媒体に記録されているサムネイル一覧を表示する場合のデータ再生装置の処理の一例を示すフローチャートである。
【図２２】従来の技術の第２の例におけるサムネイル表示の概要を示す図である。
【図２３Ａ】従来の技術の第２の例において、記録媒体に記録されているタイトルに関してサムネイルを登録する場合のユーザ操作の一例を示すフローチャートである。
【図２３Ｂ】従来の技術の第２の例において、記録媒体に記録されているサムネイル一覧を表示する場合のデータ再生装置の処理の一例を示すフローチャートである。
【図２４】従来の技術の第３の例におけるサムネイル表示の概要を示す図である。
【図２５Ａ】従来の技術の第３の例において、記録媒体に記録されているタイトルに関してサムネイルを登録する場合のユーザ操作の一例を示すフローチャートである。
【図２５Ｂ】従来の技術の第３の例において、記録媒体に記録されているサムネイル一覧を表示する場合のデータ再生装置の処理の一例を示すフローチャートである。
【図２６】従来の技術における予約録画に用いられる予約録画設定テーブルの一例を示す図である。
【図２７】従来の技術における予約録画の動作の一例を示すフローチャートである。
【発明を実施するための形態】
【００４７】
以下、図面を参照しながら、本発明の第１〜第６の実施の形態について説明する。まず
、本発明の第１〜第６の実施の形態において用いられる記録再生装置の構成の一例につい
て説明する。図１は、本発明の第１〜第６の実施の形態において用いられる記録再生装置
の構成の概略を示すブロック図であり、図２は、本発明の第１〜第６の実施の形態におい
て用いられる記録再生装置の記録処理部及び制御部によって実現される機能の一例を示す
ブロック図である。
【００４８】
図１に図示されている記録再生装置１００は、アンテナや他の再生装置などから供給さ
れる入力信号を受けて、その信号に含まれるデータ（映像データ）を記録媒体に記録する
機能や、記録媒体に記録されているデータを読み出して、ＴＶなどの表示装置や他の記録
装置などにデータを再生して出力する機能を有している。なお、記録再生装置１００は、
他の再生装置から供給された映像データや放送番組を記録する機能、記録媒体に記録され
ている映像データを再生出力する機能に加えて、サムネイル画像を用いて、記録媒体に記
録されているコンテンツの見出し表示を行う映像データ情報表示装置としての機能も実現
する。
【００４９】
上記の機能を実現するため、図１に図示されている記録再生装置１００は、外部（アン
テナや他の再生装置など）から供給される入力信号を受ける入力部１０１と、入力部１０
１で受けた入力信号のＡ／Ｄ変換処理などを始めとして、入力信号に関する適切な処理を
行う入力信号処理部１０２と、入力信号処理部１０２で処理された信号を記録するための
記録媒体を有する記録処理部１０３と、記録処理部１０３が有する記録媒体から読み出さ
れたデータのＤ／Ａ変換処理や表示用信号又は記録用信号への加工処理を始めとして、再
生データに関する適切な処理を行う出力信号処理部１０４と、出力信号処理部１０４によ
る処理後の信号を外部（表示装置や他の録画装置など）に対して出力する出力部１０５と
、この記録再生装置１００をリモコンなどのユーザインターフェースを通して操作を可能
とするためのユーザ制御部１０６と、記録再生装置１００の動作状況やユーザによる操作
状況などを表示する表示パネルなどの表示部１０７と、各構成要素の動作制御を行う制御
部１０８とを有している。
【００５０】
また、図１に図示されている記録再生装置１００の記録処理部１０３及び制御部１０８
は、図２に図示されている機能を実現する。図２において、入力信号処理部１０２（図１
参照）から供給される入力信号は、記録信号処理部２０１によって圧縮処理（例えばＭＰ
ＥＧ（Moving Picture Experts Group）方式）などの記録信号処理が行われる。そして、
この記録信号処理部２０１による記録信号処理後のデータは、記録制御部２０２及び記録
媒体管理部２０３の制御によってＤＶＤやＨＤＤなどの記録媒体２０４、２０５に送られ
て記録（録画）される。
【００５１】
また、記録媒体２０４、２０５に記録されているデータの再生時には、記録媒体管理部
２０３の制御によって、例えばユーザ制御部１０６（図１参照）から指示された映像デー
タが、適切な記録媒体２０４、２０５から読み出される。そして、記録媒体管理部２０３
によって読み出されたデータは、再生制御部２０６の制御によって再生信号処理部２０７
に送られて伸長処理（例えばＭＰＥＧ伸長）などの再生信号処理が行われ、この再生信号
処理部２０７による再生信号処理後のデータは出力信号処理部１０４（図１参照）に対し
て出力される。
【００５２】
また、図２に図示されているように、日時管理や計時機能などを有するシステムタイマ
部２０８や、予約録画のスケジュールなどが記載された予約録画設定テーブルの管理や、
予約録画の開始指示／終了指示などを行う予約録画制御部２０９も実現される。さらに、
図２には、システム全体の機能を実現するために各機能ブロックを制御するシステム制御
部２１０も図示されている。なお、後述する本発明の各種機能も、このシステム制御部２
１０において制御される。
【００５３】
なお、図１及び図２では、記録再生装置１００の各機能をブロックによって表現してい
るが、これらの機能は、ソフトウェア及び／又はハードウェアによって実現可能である。
特に、情報の処理を行うブロックの機能は、コンピュータに搭載されたＣＰＵ（Central 
Processing Unit：中央演算処理装置）によるプログラムの実行によって実現可能である
。
【００５４】
次に、上述の図１及び図２に図示されている記録再生装置１００によって実現可能な各
種機能について説明する。
【００５５】
＜本発明の第１の実施の形態＞
まず、図３、図４、図５Ａ、図５Ｂを参照しながら、本発明の第１の実施の形態につい
て説明する。図３は、本発明の第１の実施の形態におけるサムネイル表示の概要を示す図
である。図３には、記録媒体に記録されているタイトル３０１の任意の場面（サムネイル
元画像３０６）が表示画面にサムネイルとして表示される様子が模式的に図示されている
。記録媒体に記録されるタイトル３０１は、タイトルスタート情報３０２と、タイトル名
やサムネイルポインタ（後続のタイトルデータ３０４内におけるサムネイル画像の位置を
示す画像位置情報）３１１や、そのタイトル３０１に固有の情報（放送回数や日時などの
情報、以下、タイトル固有情報３１０と呼ぶ）を付加するタイトル情報エリア３０３と、
実際の録画データ（コンテンツデータ）の格納部に相当するタイトルデータ３０４と、デ
ータの終わりを示すタイトルエンド情報３０５とにより構成されている。なお、サムネイ
ルポインタ３１１によってサムネイル元画像３０６の位置を示すという点に関しては、従
来の技術の第１の例と同様である。
【００５６】
上述のタイトル３０１のタイトル情報エリア３０３の中には、タイトル固有情報３１０
を記録するための領域が存在している。このタイトル固有情報３１０としては、例えば、
放送回数や日時、このタイトルを特定する名称などを始めとする任意の情報が挙げられる
。具体的には、予約録画によって、毎週繰り返し（週１回）放送される連続ドラマなどが
録画されるような場合には、複数の同一番組名のタイトルが記録媒体に記録されることに
なるが、これらの複数のタイトルはそれぞれ、放送回数（例えば第２回放送や第２話）、
日時、タイトルを特定する名称（具体的には、ドラマの各回における表題）などが異なっ
ている。本発明の第１の実施の形態では、このような情報が、タイトル固有情報３１０と
してタイトル情報エリア３０３内に保存される。そして、サムネイル表示の際には、サム
ネイルポインタ３１１によって指定される画像と共にタイトル固有情報３１０も読み出さ
れ、縮小サムネイル画像３０７とタイトル固有情報３１０とが合成されて合成サムネイル
画像３０８が作成され、表示画面に表示される。
【００５７】
なお、例えば、ＥＰＧシステムなどによって確保可能な番組の詳細な情報などをタイト
ル固有情報３１０として用いることで、タイトル３０１の判別を容易とする詳細な情報を
サムネイル画像内に挿入することも可能である。
【００５８】
また、各タイトル３０１において、各タイトル３０１内のタイトルデータ３０４中の画
像を指定するサムネイルポインタ３１１がそれぞれ独立して設定されるのではなく、ある
タイトル３０１内のタイトルデータ３０４中の画像が、他のタイトル３０１のサムネイル
元画像３０６として指定されるようにすることも可能である。例えば、毎週繰り返し録画
される連続ドラマなどの同一番組では、録画日時の異なる複数のタイトル３０１のそれぞ
れに関して、結局、同一図柄の画像（ドラマの名称が表示されているドラマのオープニン
グ画像など）がサムネイル画像として用いられる場合も多い。このような場合に、下記の
図４Ａに図示されているようなサムネイル設定方法を用いることで、ユーザが各タイトル
３０１に関して、サムネイル画像を設定する手間が削減されるとともに、タイトル固有情
報３１０の合成によって、各タイトル３０１を確実に識別することを可能とするサムネイ
ル表示が実現される。
【００５９】
図４Ａは、本発明の第１の実施の形態において、複数のタイトル４０１ａ〜４０１ｄの
サムネイル一覧表示の概要を示す図である。なお、図４Ａには、複数のタイトル４０１ａ
〜４０１ｄとして、毎週繰り返し録画された連続ドラマ（第１週目〜第４週目の４つのタ
イトル４０１ａ〜４０１ｄ）が図示されている。図４Ａでは、第１週目に録画されたタイ
トル４０１ａのサムネイル画像として、このタイトル４０１ａのタイトルデータ内の特定
の画像が設定されている。すなわち、タイトル４０１ａのタイトル情報エリア内には、タ
イトルデータ内の特定のサムネイル元画像４０６を示すサムネイルポインタ４１１ａが記
録されている。また、第２週目以降のタイトル４０１ｂ〜４０１ｄのタイトル情報エリア
内にも、タイトル４０１ａのタイトルデータ内のサムネイル元画像４０６を指定するサム
ネイルポインタ４１１ｂ〜４１１ｄが記録され、これによって、タイトル４０１ａ〜４０
１ｄのサムネイル画像として、同一図柄の画像（共通の画像）が設定される。その結果、
これらのタイトル４０１ａ〜４０１ｄがサムネイル表示される場合には、共通の画像から
生成された縮小サムネイル画像４０７に、各タイトル固有情報４１０ａ〜４１０ｄが合成
された合成サムネイル画像４０８ａ〜４０８ｄが作成されて、モニタ上に配列表示される
ことによって、サムネイル一覧表示が行われる。
【００６０】
また、図４Ｂは、本発明の第１の実施の形態においてサムネイル表示されるサムネイル
画像の一例を示す図である。なお、図４Ｂに図示されているサムネイル画像Ａ〜Ｄは、そ
れぞれ図４Ａに図示されているタイトル４０１ａ〜４０１ｄに対応するサムネイル画像で
ある。上述のように、タイトル４０１ａ〜４０１ｄに対応するサムネイル画像は、同一図
柄の画像に各タイトル４０１ａ〜４０１ｄのタイトル固有情報４１０ａ〜４１０ｄがそれ
ぞれ合成されたものである。したがって、図４Ｂに図示されているように、タイトル４０
１ａ〜４０１ｄに対応するサムネイル画像Ａ〜Ｄは、同一図柄の画像を有しており、これ
によって、ユーザは、各タイトル４０１ａ〜４０１ｄが、相互に関連する番組（例えば、
連続ドラマ）であることを即座に把握することが可能となる。また、ユーザは、各サムネ
イル画像に合成されているタイトル固有情報４１０ａ〜４１０ｄ（図４Ｂでは、放送回数
（第１回〜第４回）が合成されている）から、各タイトル４０１ａ〜４０１ｄを容易に識
別することが可能となる。
【００６１】
なお、以降、各タイトル４０１ａ〜４０１ｄのサムネイル表示の際に、共通の画像とし
て用いられるサムネイル元画像４０６を親サムネイル画像と呼び、親サムネイル画像とし
て用いられるサムネイル設定が行われているタイトル（ここでは、タイトル４０１ａ）を
親タイトルと呼ぶこともある。
【００６２】
次に、図４Ａに図示されているサムネイル表示を実現するためのサムネイル登録処理及
びサムネイル表示処理について説明する。図５Ａは、本発明の第１の実施の形態において
、記録媒体に記録されているタイトルに関してサムネイルを登録する場合のユーザ操作の
一例を示すフローチャートであり、図５Ｂは、本発明の第１の実施の形態において、記録
媒体に記録されているサムネイル一覧を表示する場合の処理の一例を示すフローチャート
である。
【００６３】
まず、図５Ａを参照しながら、サムネイルの登録を行う場合について説明する。図５Ａ
に示すように、まず、ユーザは、親タイトルが存在するか否かを判断する（ステップＳ５
０１）。なお、このステップＳ５０１では、親タイトルとして用いられるタイトル（ここ
では、タイトル４０１ａ）に、親サムネイル画像として用いられるサムネイル元画像４０
６が既に設定されているか否かの判断が行われる。ここで、親タイトルが存在しない場合
には、続いて、親タイトルとなり得る候補（親タイトル候補）が存在するか否か（すなわ
ち、親タイトルとして利用するタイトルにサムネイルの登録を行うか否か）を判断し（ス
テップＳ５０２）、親サムネイル画像を設定するタイトルが存在しない場合（すなわち、
親タイトルを設定しない場合）には、処理は終了となる。
【００６４】
一方、親サムネイル画像を設定する親タイトル候補が存在する場合（ステップＳ５０２
で『はい』）には、ユーザは、この親タイトル候補のタイトルデータの再生などによって
タイトルデータ内の画像の閲覧を行いながら、サムネイル画像として適切な画像の検索を
行う（ステップＳ５０３）。このとき、サムネイル画像として適切な画像が見つからなか
った場合（ステップＳ５０４で『いいえ』）には、例えば、ステップＳ５０２に戻って、
親サムネイル画像を設定する別の親タイトル候補の選択を行う。また、親サムネイル画像
として適切な画像が見つかった場合（ステップＳ５０４で『はい』）には、その画像の位
置を示す画像位置情報が、タイトル情報エリア内のサムネイルポインタ（ここでは、サム
ネイルポインタ４１１ａ）に設定される（ステップＳ５０５）。
【００６５】
また、親タイトルが存在する場合（ステップＳ５０１で『はい』）や、ステップＳ５０
５で親サムネイル画像が設定された場合には、この親タイトルの親サムネイル画像を共通
のサムネイル画像として設定すべきタイトルが存在するか否かを判断する（ステップＳ５
０６）。図４Ａの例では、タイトル４０１ａを親タイトルとして設定するタイトル４０１
ｂ〜４０１ｄが、親サムネイル画像を共通のサムネイル画像として設定するタイトルであ
る。なお、ここで、この親サムネイル画像を共通のサムネイル画像として設定するタイト
ルが存在しない場合（ステップＳ５０６で『いいえ』）には、処理は終了となる。
【００６６】
一方、親サムネイル画像を共通のサムネイル画像として設定するタイトルが存在する場
合（ステップＳ５０６で『はい』）には、親タイトルのタイトル情報エリアからサムネイ
ルポインタ（サムネイルポインタ４１１ａ）を取得し（ステップＳ５０７）、共通のサム
ネイル画像を設定すべきタイトルのサムネイルポインタ（サムネイルポインタ４１１ｂ〜
４１１ｄ）として、親タイトルを指定する情報（親タイトル指定情報）、及び親タイトル
のサムネイルポインタを設定する（ステップＳ５０８）。そして、別のタイトルに対して
親サムネイルの設定を行うために、ステップＳ５０６に戻る。これにより、ある親タイト
ル（タイトル４０１ａ）の親サムネイル画像が、他のタイトル（タイトル４０１ｂ〜４０
１ｄ）のサムネイル元画像４０６として指定されるようになる。
【００６７】
次に、図５Ｂを参照しながら、図５Ａに示す登録処理が行われたタイトルのサムネイル
表示を行う場合について説明する。図５Ｂに示すように、ユーザ要求によって記録媒体に
記録されたタイトルのサムネイル表示処理が開始された場合、まず、記録再生装置は、記
録媒体内に表示対象となるタイトルが存在するか否かを判断する（ステップＳ５２１）。
ここで、サムネイルの表示処理を行う対象のタイトルが存在しない場合には、処理は終了
となる。
【００６８】
一方、サムネイルの表示処理を行う対象のタイトルが存在する場合には、記録再生装置
は、サムネイル表示させるタイトルのタイトル情報エリアを読み取り、タイトル情報エリ
ア内に設定保存されているサムネイルポインタを取得する（ステップＳ５２２）。なお、
このサムネイルポインタには、上述のように、親タイトル指定情報及び親タイトルのサム
ネイルポインタ（図４Ａの例では、タイトル４０１ａを指定する情報と、そのサムネイル
元画像４０６を指定する情報）が含まれている。そして、この親タイトルのタイトルデー
タの中から、上記のサムネイルポインタによって示される画像をサムネイル元画像として
取得し（ステップＳ５２３）、このサムネイル元画像をサムネイルのサイズに縮小するな
どの処理を行って縮小サムネイル画像を作成する（ステップＳ５２４）。
【００６９】
次に、記録再生装置は、サムネイルの表示処理を行う表示対象のタイトルのタイトル情
報エリア内に存在するタイトル固有情報を取得し（ステップＳ５２５）、取得したタイト
ル固有情報と縮小サムネイル画像とを合成して、合成サムネイル画像を作成する（ステッ
プＳ５２６）。そして、記録再生装置は、この合成サムネイル画像を表示画面に表示する
（ステップＳ５２７）。また、別のタイトルに対するサムネイル表示を行う場合には、ス
テップＳ５２１に戻って同様の処理を行う。
【００７０】
以上、説明したように、本発明の第１の実施の形態におけるサムネイル登録処理及びサ
ムネイル表示処理が行われることにより、図４Ａに示すように、親タイトル内のサムネイ
ル元画像に基づいて、記録媒体内に記録されたタイトル一覧がサムネイル表示される。こ
れにより、関連のあるタイトルに関しては、共通の画像がサムネイル画像として使用され
るとともに、各タイトル固有情報もサムネイル画像としてサムネイル表示されるので、ユ
ーザは、サムネイル表示によって、複数のタイトルの中から関連のあるタイトルを容易に
同定することが可能となり、関連のあるタイトル同士を容易に識別することが可能となる
。すなわち、例えば、連続ドラマなどのような関連のあるタイトルは同一図柄のサムネイ
ル画像によってサムネイル表示されるとともに、放送回数や日付などのタイトル固有情報
もサムネイル画像の一部として表示されるようになる。
【００７１】
＜本発明の第２の実施の形態＞
次に、図６、図７、図８Ａ、図８Ｂを参照しながら、本発明の第２の実施の形態につい
て説明する。図６は、本発明の第２の実施の形態におけるサムネイル表示の概要を示す図
である。図６には、記録媒体に記録されているタイトル６０１の任意の場面（サムネイル
元画像６０６）が表示画面にサムネイルとして表示される様子が模式的に図示されている
。記録媒体に記録されるタイトル６０１は、タイトルスタート情報６０２と、タイトル名
やサムネイル画像データやタイトル固有情報（放送回数や日時などの情報）６１０を付加
するタイトル情報エリア６０３と、実際の録画データ（コンテンツデータ）の格納部に相
当するタイトルデータ６０４と、データの終わりを示すタイトルエンド情報６０５とによ
り構成されている。なお、タイトル情報エリア６０３のサムネイル画像記録エリア内に縮
小サムネイル画像６０７が保存されるという点に関しては、従来の技術の第２の例と同様
である。
【００７２】
また、本発明の第２の実施の形態では、本発明の第１の実施の形態と同様に、タイトル
６０１のタイトル情報エリア６０３の中に、タイトル固有情報６１０を記録するための領
域が存在している。このタイトル固有情報６１０は、本発明の第１の実施の形態と同一の
ものが使用可能であり、ここでは説明を省略する。本発明の第２の実施の形態では、この
タイトル情報エリア６０３内に縮小サムネイル画像６０７及びタイトル固有情報６１０が
保存され、サムネイル表示の際には、縮小サムネイル画像６０７と共にタイトル固有情報
６１０も読み出され、この縮小サムネイル画像６０７とタイトル固有情報６１０とが合成
されて合成サムネイル画像６０８が作成され、表示画面に表示される。
【００７３】
また、各タイトル６０１において、各タイトル６０１内のタイトルデータ６０４中の画
像がそれぞれ独立して、各タイトル６０１のサムネイル画像としてサムネイル画像記録エ
リア内に保存されるのではなく、あるタイトル６０１内のタイトルデータ６０４中の画像
から作成された縮小サムネイル画像６０７が共通して、他のタイトル６０１の縮小サムネ
イル画像６０７として使用されるようにすることも可能である。下記の図７に図示されて
いるようなサムネイル設定方法を用いることで、ユーザが各タイトル６０１に関して、サ
ムネイル画像を設定する手間が削減されるとともに、タイトル固有情報６１０の合成によ
って、各タイトル６０１を確実に識別することを可能とするサムネイル表示が実現される
。
【００７４】
図７は、本発明の第２の実施の形態において、複数のタイトルのサムネイル一覧表示の
概要を示す図である。なお、図７には、複数のタイトル７０１ａ〜７０１ｄとして、毎週
繰り返し録画された連続ドラマ（第１週目〜第４週目の４つのタイトル７０１ａ〜７０１
ｄ）が図示されている。図７では、第１週目に録画されたタイトル７０１ａのサムネイル
画像として、このタイトル７０１ａのタイトルデータ内の特定の画像が設定されている。
すなわち、タイトル７０１ａのタイトル情報エリア内には、タイトルデータ内の特定のサ
ムネイル元画像７０６がサムネイル用に加工された縮小サムネイル画像７０７が保存され
ている。また、第２週目以降のタイトル７０１ｂ〜７０１ｄのタイトル情報エリア内にも
、タイトル７０１ａのタイトルデータ内のサムネイル元画像７０６がサムネイル用に加工
された縮小サムネイル画像７０７が保存され、これによって、タイトル７０１ａ〜７０１
ｄの縮小サムネイル画像７０７として、共通の画像が設定される。その結果、これらのタ
イトル７０１ａ〜７０１ｄがサムネイル表示される場合には、共通の画像に各タイトル固
有情報７１０ａ〜７１０ｄが合成された合成サムネイル画像７０８ａ〜７０８ｄが作成さ
れて、表示画面に配列表示されることによって、サムネイル一覧表示が行われる。なお、
サムネイル表示の際には、表示画面には、各タイトル７０１ａ〜７０１ｄに関して、図４
Ｂに図示されているサムネイル画像が表示される。
【００７５】
次に、図７に図示されているサムネイル表示を実現するためのサムネイル登録処理及び
サムネイル表示処理について説明する。図８Ａは、本発明の第２の実施の形態において、
記録媒体に記録されているタイトルに関してサムネイルを登録する場合のユーザ操作の一
例を示すフローチャートであり、図８Ｂは、本発明の第２の実施の形態において、記録媒
体に記録されているサムネイル一覧を表示する場合の処理の一例を示すフローチャートで
ある。
【００７６】
まず、図８Ａを参照しながら、サムネイルの登録を行う場合について説明する。図８Ａ
に示すように、まず、ユーザは、親タイトルが存在するか否かを判断する（ステップＳ８
０１）。なお、このステップＳ８０１では、親タイトルとして用いられるタイトル（ここ
では、タイトル７０１ａ）に、親サムネイル画像として用いられるサムネイル元画像７０
６が既に設定されているか否かの判断が行われる。ここで、親タイトルが存在しない場合
には、続いて、親タイトルとなり得る候補（親タイトル候補）が存在するか否か（すなわ
ち、親タイトルとして利用するタイトルにサムネイルの登録を行うか否か）を判断し（ス
テップＳ８０２）、親サムネイル画像を設定するタイトルが存在しない場合（すなわち、
親タイトルを設定しない場合）には、処理は終了となる。
【００７７】
一方、親サムネイル画像を設定する親タイトル候補が存在する場合（ステップＳ８０２
で『はい』）には、ユーザは、この親タイトル候補のタイトルデータの再生などによって
タイトルデータ内の画像の閲覧を行いながら、サムネイル画像として適切な画像の検索を
行う（ステップＳ８０３）。このとき、サムネイル画像として適切な画像が見つからなか
った場合（ステップＳ８０４で『いいえ』）には、例えば、ステップＳ８０２に戻って、
親サムネイル画像を設定する別の親タイトル候補の選択を行う。また、親サムネイル画像
として適切な画像が見つかった場合（ステップＳ８０４で『はい』）には、その画像をサ
ムネイル元画像として取得し（ステップＳ８０５）、このサムネイル元画像（図７に示す
サムネイル元画像７０６）をサムネイルのサイズに縮小するなどの処理を行って縮小サム
ネイル画像（図７に示す縮小サムネイル画像７０７）を作成して（ステップＳ８０６）、
タイトル情報エリア内のサムネイル画像記録エリアに縮小サムネイル画像を保存する（ス
テップＳ８０７）。これにより、親タイトルのサムネイル画像記録エリアに親サムネイル
画像が保存される。
【００７８】
また、親タイトルが存在する場合（ステップＳ８０１で『はい』）や、ステップＳ８０
７で親サムネイル画像が設定された場合には、この親タイトルのサムネイル画像を共通の
サムネイル画像として設定すべきタイトルが存在するか否かを判断する（ステップＳ８０
８）。図７の例では、タイトル７０１ａを親タイトルとして設定するタイトル７０１ｂ〜
７０１ｄが、親サムネイル画像を共通のサムネイル画像として設定するタイトルである。
なお、ここで、この親サムネイル画像を共通のサムネイル画像として設定するタイトルが
存在しない場合（ステップＳ８０８で『いいえ』）には、処理は終了となる。
【００７９】
一方、親サムネイル画像を共通のサムネイル画像として設定するタイトルが存在する場
合（ステップＳ８０８で『はい』）には、親タイトルのサムネイル画像記録エリアから縮
小サムネイル画像を取得し（ステップＳ８０９）、親サムネイル画像を共通のサムネイル
画像として設定するタイトルのサムネイル画像記録エリアに、この縮小サムネイル画像を
保存する（ステップＳ８１０）。そして、別のタイトルに対して親サムネイルの設定を行
うために、ステップＳ８０８に戻る。これにより、ある親タイトル（タイトル７０１ａ）
の親サムネイル画像として親タイトルのサムネイル画像記録エリアに保存されている縮小
サムネイル画像７０７が、他のタイトル（タイトル７０１ｂ〜７０１ｄ）のサムネイル画
像記録エリアに保存される。
【００８０】
次に、図８Ｂを参照しながら、図８Ａに示す登録処理が行われたタイトルのサムネイル
表示を行う場合について説明する。図８Ｂに示すように、ユーザ要求によって記録媒体に
記録されたタイトルのサムネイル表示処理が開始された場合、まず、記録再生装置は、記
録媒体内に表示対象となるタイトルが存在するか否かを判断する（ステップＳ８２１）。
ここで、サムネイルの表示処理を行う対象のタイトルが存在しない場合には、処理は終了
となる。
【００８１】
一方、サムネイルの表示処理を行う対象のタイトルが存在する場合には、記録再生装置
は、サムネイル表示させるタイトルのタイトル情報エリアを読み取り、タイトル情報エリ
アのサムネイル画像記録エリア内に保存されている縮小サムネイル画像を取得する（ステ
ップＳ８２２）。なお、この縮小サムネイル画像は、上述のように、親タイトルのタイト
ル情報エリアのサムネイル画像記録エリア内に保存されている縮小サムネイル画像と同一
である。
【００８２】
次に、記録再生装置は、サムネイルの表示処理を行う表示対象のタイトルのタイトル情
報エリア内に存在するタイトル固有情報を取得し（ステップＳ８２３）、取得したタイト
ル固有情報と縮小サムネイル画像とを合成して、合成サムネイル画像を作成する（ステッ
プＳ８２４）。そして、記録再生装置は、この合成サムネイル画像を表示画面に表示する
（ステップＳ８２５）。その後、別のタイトルに対するサムネイル表示を行うためにステ
ップＳ８２１に戻って同様の処理を行う。
【００８３】
以上、説明したように、本発明の第２の実施の形態におけるサムネイル登録処理及びサ
ムネイル表示処理が行われることにより、図７に示すように、親タイトル内のサムネイル
元画像に基づいて、記録媒体内に記録されたタイトル一覧がサムネイル表示される。これ
により、関連のあるタイトルに関しては、共通の画像がサムネイル画像として使用される
とともに、各タイトル固有情報もサムネイル画像としてサムネイル表示されるので、ユー
ザは、サムネイル表示によって、複数のタイトルの中から関連のあるタイトルを容易に同
定することが可能となり、関連のあるタイトル同士を容易に識別することが可能となる。
すなわち、例えば、連続ドラマなどのような関連のあるタイトルは同一図柄のサムネイル
画像によってサムネイル表示されるとともに、放送回数や日付などのタイトル固有情報も
サムネイル画像の一部として表示されるようになる。
【００８４】
＜本発明の第３の実施の形態＞
次に、図９、図１０、図１１Ａ、図１１Ｂを参照しながら、本発明の第３の実施の形態
について説明する。図９は、本発明の第３の実施の形態におけるサムネイル表示の概要を
示す図である。図９には、記録媒体に記録されているタイトル９０１の任意の場面（サム
ネイル元画像９０６）が表示画面にサムネイルとして表示される様子が模式的に図示され
ている。記録媒体に記録されるタイトル９０１は、タイトルスタート情報９０２と、タイ
トル名や合成サムネイル画像データ９０８やタイトル固有情報（放送回数や日時などの情
報）９１０を付加するタイトル情報エリア９０３と、実際の録画データ（コンテンツデー
タ）の格納部に相当するタイトルデータ９０４と、データの終わりを示すタイトルエンド
情報９０５とにより構成されている。なお、タイトル情報エリア９０３のサムネイル画像
記録エリア内にサムネイル画像が保存されるという点に関しては、従来の技術の第２の例
と同様である。
【００８５】
本発明の第３の実施の形態では、タイトル情報エリア９０３には、タイトル固有情報９
１０と縮小サムネイル画像とが合成された合成サムネイル画像９０８が保存される。すな
わち、本発明の第３の実施の形態では、サムネイル登録の際に、タイトル固有情報９１０
と縮小サムネイル画像とが合成されて合成サムネイル画像９０８が作成され、この合成サ
ムネイル画像９０８がタイトル情報エリア９０３のサムネイル画像記録エリア内に保存さ
れる。そして、サムネイル表示の際には、単に、このタイトル情報エリア９０３のサムネ
イル画像記録エリア内に保存されている合成サムネイル画像９０８が読み出されて、表示
画面に表示される。
【００８６】
また、本発明の第２の実施の形態と同様に、各タイトル９０１において、各タイトル９
０１内のタイトルデータ９０４中の画像がそれぞれ独立して、各タイトル９０１のサムネ
イル画像としてサムネイル画像記録エリア内に保存されるのではなく、あるタイトル９０
１の合成サムネイル画像９０８の作成に使用されたサムネイル元画像９０６が共通して、
他のタイトル９０１の合成サムネイル画像９０８の作成の際のサムネイル元画像９０６に
使用されるようにすることも可能である。下記の図１０に図示されているようなサムネイ
ル設定方法を用いることで、ユーザが各タイトル９０１に関して、サムネイル画像を設定
する手間が削減されるとともに、タイトル固有情報９１０の合成によって、各タイトルを
確実に識別することを可能とするサムネイル表示が実現される。
【００８７】
図１０は、本発明の第３の実施の形態において、複数のタイトルのサムネイル一覧表示
の概要を示す図である。なお、図１０には、複数のタイトル１００１ａ〜１００１ｄとし
て、毎週繰り返し録画された連続ドラマ（第１週目〜４週目の４つのタイトル１００１ａ
〜１００１ｄ）が図示されている。図１０では、第１週目に録画されたタイトル１００１
ａのサムネイル画像として、このタイトル１００１ａのタイトルデータ内の特定の画像が
設定されている。すなわち、タイトル１００１ａのタイトル情報エリア内には、タイトル
データ内の特定のサムネイル元画像１００６から加工された縮小サムネイル画像に、タイ
トル固有情報１０１０ａが合成された合成サムネイル画像１００８ａが保存されている。
また、第２週目以降のタイトル１００１ｂ〜１００１ｄのタイトル情報エリアにも、タイ
トル１００１ａのタイトルデータ内のサムネイル元画像１００６に、各タイトル固有情報
１０１０ｂ〜１０１０ｄが合成された合成サムネイル画像１０１０ｂ〜１０１０ｄが保存
され、これによって、タイトル１００１ａ〜１００１ｄのサムネイル画像として、共通の
縮小サムネイル画像に基づいて作成された合成サムネイル画像１００８ａ〜１００８ｄが
設定される。その結果、これらのタイトル１００１ａ〜１００１ｄがサムネイル表示され
る場合には、単に、各タイトル１００１ａ〜１００１ｄの合成サムネイル画像１００８ａ
〜１００８ｄが読み出されて、表示画面に配列表示されることによって、サムネイル一覧
表示が行われる。なお、サムネイル表示の際には、表示画面には、各タイトル１００１ａ
〜１００１ｄに関して、図４Ｂに図示されているサムネイル画像が表示される。
【００８８】
次に、図１０に図示されているサムネイル表示を実現するためのサムネイル登録処理及
びサムネイル表示処理について説明する。図１１Ａは、本発明の第３の実施の形態におい
て、記録媒体に記録されているタイトルに関してサムネイルを登録する場合のユーザ操作
の一例を示すフローチャートであり、図１１Ｂは、本発明の第３の実施の形態において、
記録媒体に記録されているサムネイル一覧を表示する場合の処理の一例を示すフローチャ
ートである。
【００８９】
まず、図１１Ａを参照しながら、サムネイルの登録を行う場合について説明する。図１
１Ａに示すように、まず、ユーザは、親タイトルが存在するか否かを判断する（ステップ
Ｓ１１０１）。なお、このステップＳ１１０１では、親タイトルとして用いられるタイト
ル（ここでは、タイトル１００１ａ）に、親サムネイル画像として用いられるサムネイル
元画像１００６が既に設定されているか否かの判断が行われる。親タイトルが存在しない
場合には、続いて、親タイトルとなり得る候補（親タイトル候補）が存在するか否か（す
なわち、親タイトルとして利用するタイトルにサムネイルの登録を行うか否か）を判断し
（ステップＳ１１０２）、親サムネイル画像を設定するタイトルが存在しない場合（すな
わち、親タイトルを設定しない場合）には、処理は終了となる。
【００９０】
一方、親サムネイル画像を設定する親タイトル候補が存在する場合（ステップＳ１１０
２で『はい』）には、ユーザは、この親タイトル候補のタイトルデータの再生などによっ
てタイトルデータ内の画像の閲覧を行いながら、サムネイル画像として適切な画像の検索
を行う（ステップＳ１１０３）。このとき、サムネイル画像として適切な画像が見つから
なかった場合（ステップＳ１１０４で『いいえ』）には、例えば、ステップＳ１１０２に
戻って、親サムネイル画像を設定する別のタイトル候補の選択を行う。また、親サムネイ
ル画像として適切な画像が見つかった場合（ステップＳ１１０４で『はい』）には、その
画像をサムネイル元画像として取得し（ステップＳ１１０５）、このサムネイル元画像（
図１０に示すサムネイル元画像１００６）をサムネイルのサイズに縮小するなどの処理を
行って縮小サムネイル画像を作成する（ステップＳ１１０６）。そして、この親タイトル
のタイトル情報エリア内に存在するタイトル固有情報を取得し（ステップＳ１１０７）、
取得したタイトル固有情報と縮小サムネイル画像とを合成して、合成サムネイル画像（図
１０に示す合成サムネイル画像１００８ａ）を作成して（ステップＳ１１０８）、タイト
ル情報エリアのサムネイル画像記録エリア内に合成サムネイル画像を保存する（ステップ
Ｓ１１０９）。これにより、親タイトルのサムネイル画像記録エリアに親サムネイル画像
が保存される。
【００９１】
また、親タイトルが存在する場合（ステップＳ１１０１で『はい』）や、ステップＳ１
１０９で親サムネイル画像が設定された場合には、この親タイトルのサムネイル画像を共
通のサムネイル画像として設定すべきタイトルが存在するか否かを判断する（ステップＳ
１１１０）。図１０の例では、タイトル１００１ａを親タイトルとして設定するタイトル
１００１ｂ〜１００１ｄが、親サムネイル画像を共通のサムネイル画像として設定するタ
イトルである。なお、ここで、この親サムネイル画像を共通のサムネイル画像として設定
するタイトルが存在しない場合（ステップＳ１１１０で『いいえ』）には、処理は終了と
なる。
【００９２】
一方、この親サムネイル画像を共通のサムネイル画像として設定するタイトルが存在す
る場合（ステップＳ１１１０で『はい』）には、親タイトルのタイトルデータから、親タ
イトルの親サムネイル画像の基になった画像（図１０のサムネイル元画像１００６）を取
得し（ステップＳ１１１１）、このサムネイル元画像をサムネイルのサイズに縮小するな
どの処理を行って縮小サムネイル画像を作成する（ステップＳ１１１２）。そして、この
タイトルのタイトル情報エリア内に存在するタイトル固有情報を取得し（ステップＳ１１
１３）、取得したタイトル固有情報と縮小サムネイル画像とを合成して、合成サムネイル
画像を作成し（ステップＳ１１１４）、タイトル情報エリアのサムネイル画像記録エリア
内に合成サムネイル画像を保存する（ステップＳ１１１５）。そして、別のタイトルに対
して親サムネイルの設定を行うために、ステップＳ１１１０に戻る。これにより、ある親
タイトル（タイトル１００１ａ）の親サムネイル画像の基になったサムネイル元画像に基
づいて、他のタイトル（タイトル１００１ｂ〜１００１ｄ）に係る合成サムネイル画像が
作成されて、各タイトルのサムネイル画像記録エリアに、各タイトルに係る合成サムネイ
ル画像が保存される。
【００９３】
なお、ここでは、ステップＳ１１１１において、親タイトルのタイトルデータから画像
を取得するため、親タイトルのタイトルデータの読み出し（すなわち、親タイトルの再生
処理）が行われる。しかしながら、例えば、親タイトルのサムネイル画像記録エリアに保
存される合成サムネイル画像のフォーマットとして特定のフォーマットを用いたり、合成
サムネイル画像におけるタイトル固有情報の挿入位置をあらかじめ定めておいたりするこ
とによって、ステップＳ１１１１において、親タイトルのサムネイル画像記録エリアから
合成サムネイル画像を取得すればよい場合も考えられる。
【００９４】
例えば、親タイトルのサムネイル画像記録エリアに保存されている合成サムネイル画像
がレイヤ構造を有しており、タイトル固有情報と縮小サムネイル画像とが別のレイヤで保
持されている場合には、ステップＳ１１１１において、親タイトルのサムネイル画像記録
エリアに保存されている合成サムネイル画像を取得した後、タイトル固有情報のレイヤを
除去することによって、タイトル固有情報の合成前の画像（すなわち、縮小サムネイル画
像）が取得可能となる。
【００９５】
また、例えば、サムネイル画像上の所定の画像領域にタイトル固有情報を合成すること
が定められている場合には、ステップＳ１１１１で親タイトルのサムネイル画像記録エリ
アに保存されている合成サムネイル画像を取得し、ステップＳ１１１４において、上記の
所定の画像領域にタイトル固有情報を上書きすることによって、親タイトルの合成サムネ
イル画像に元々挿入されていた親タイトルのタイトル固有情報が消去されるようになる。
【００９６】
次に、図１１Ｂを参照しながら、図１１Ａに示す登録処理が行われたタイトルのサムネ
イル表示を行う場合について説明する。なお、図１１Ｂに図示されているフローチャート
は、サムネイル画像記録エリア内の画像が、タイトル固有情報が合成された合成サムネイ
ル画像か否かの違いを除いて、図２３Ｂと同一である。すなわち、基本的には、従来の技
術の第２の例に示す記録再生装置によって、図１１Ａに示す登録処理が行われたタイトル
のサムネイル表示を行うことが可能である。
【００９７】
図１１Ａに示す登録処理が行われたタイトルのサムネイル表示を行う場合には、図１１
Ｂに示すように、ユーザ要求によって記録媒体に記録されたタイトルのサムネイル表示処
理が開始された場合、まず、記録再生装置は、記録媒体内に表示対象となるタイトルが存
在するか否かを判断する（ステップＳ１１２１）。ここで、サムネイルの表示処理を行う
対象のタイトルが存在しない場合には、処理は終了となる。
【００９８】
一方、サムネイルの表示処理を行う対象のタイトルが存在する場合には、記録再生装置
は、サムネイル表示させるタイトルのタイトル情報エリアを読み取り、タイトル情報エリ
ア内に保存されている合成サムネイル画像を取得する（ステップＳ１１２２）。なお、こ
の合成サムネイル画像は、上述のように、各タイトル固有情報が既に合成されている合成
サムネイル画像である。そして、記録再生装置は、この合成サムネイル画像を表示画面に
表示する（ステップＳ１１２３）。また、別のタイトルに対するサムネイル表示を行うた
めにステップＳ１１２１に戻って同様の処理を行う。
【００９９】
以上、説明したように、本発明の第３の実施の形態におけるサムネイル登録処理及びサ
ムネイル表示処理が行われることにより、図１０に示すように、親タイトル内のサムネイ
ル元画像に基づいて、記録媒体内に記録されたタイトル一覧がサムネイル表示される。こ
れにより、関連のあるタイトルに関しては、共通の画像がサムネイル画像として使用され
るとともに、各タイトル固有情報もサムネイル画像としてサムネイル表示されるので、ユ
ーザは、サムネイル表示によって、複数のタイトルの中から関連のあるタイトルを容易に
同定することが可能となり、関連のあるタイトル同士を容易に識別することが可能となる
。すなわち、例えば、連続ドラマなどのような関連のあるタイトルは同一図柄のサムネイ
ル画像によってサムネイル表示されるとともに、放送回数や日付などのタイトル固有情報
もサムネイル画像の一部として表示されるようになる。
【０１００】
＜本発明の第４の実施の形態＞
次に、図１２、図１３、図１４Ａ、図１４Ｂを参照しながら、本発明の第４の実施の形
態について説明する。図１２は、本発明の第４の実施の形態におけるサムネイル表示の概
要を示す図である。図１２には、記録媒体に記録されているタイトル１２０１の任意の場
面（サムネイル元画像１２０６）が表示画面にサムネイルとして表示される様子が模式的
に図示されている。記録媒体に記録されるタイトル１２０１は、タイトルスタート情報１
２０２と、タイトル名やタイトルポインタ（サムネイル記録テーブル１２０９に保存され
たサムネイル画像の位置を示すポインタ）１２１２やタイトル固有情報（放送回数や日時
などの情報）１２１０を付加するタイトル情報エリア１２０３と、実際の録画データ（コ
ンテンツデータ）の格納部に相当するタイトルデータ１２０４と、データの終わりを示す
タイトルエンド情報１２０５とにより構成されている。なお、タイトルポインタ１２１２
によってサムネイル記録テーブル１２０９内の縮小サムネイル画像１２０７の位置を示す
という点に関しては、従来の技術の第３の例と同様である。
【０１０１】
本発明の第４の実施の形態では、タイトル情報エリア１２０３には、タイトル固有情報
１２１０とタイトルポインタ１２１２が保存される。すなわち、本発明の第４の実施の形
態では、サムネイル登録の際に、縮小サムネイル画像１２０７がサムネイル記録テーブル
１２０９に保存されるとともに、サムネイル記録テーブル１２０９内の縮小サムネイル画
像１２０７の位置情報がタイトルポインタ１２１２としてタイトル情報エリア１２０３内
に保存される。そして、サムネイル表示の際には、タイトルポインタ１２１２に基づいて
縮小サムネイル画像１２０７が読み出された後、縮小サムネイル画像１２０７とタイトル
固有情報１２１０とが合成されて合成サムネイル画像が作成され、この合成サムネイル画
像が表示画面に表示される。
【０１０２】
また、各タイトル１２０１において、各タイトル１２０１のサムネイル表示に使用され
る画像がそれぞれ独立してサムネイル記録テーブル１２０９に保存されるのではなく、サ
ムネイル記録テーブル１２０９内のある縮小サムネイル画像１２０７が、複数のタイトル
１２０１のサムネイル画像を作成する際に基づく共通の画像として使用されるようにする
ことも可能である。下記の図１３に図示されているようなサムネイル設定方法を用いるこ
とで、ユーザが各タイトル１２０１に関して、サムネイル画像を設定する手間が削減され
るとともに、各タイトル１２０１を確実に識別することを可能とするサムネイル表示が実
現される。また、複数のタイトル１２０１のサムネイル画像が、サムネイル記録テーブル
１２０９内の共通の画像に基づいて作成されることにより、サムネイル記録テーブル１２
０９のリソースも節約される。
【０１０３】
図１３は、本発明の第４の実施の形態において、複数のタイトルのサムネイル一覧表示
の概要を示す図である。なお、図１３には、複数のタイトル１３０１ａ〜１３０１ｄとし
て、毎週繰り返し録画された連続ドラマ（第１週目〜第４週目の４つのタイトル１３０１
ａ〜１３０１ｄ）が図示されている。図１３では、第１週目に録画されたタイトル１３０
１ａのサムネイル画像として、このタイトル１３０１ａのタイトルデータの特定の画像が
設定されている。すなわち、サムネイル記録テーブル１３０９には、タイトルデータ内の
特定のサムネイル元画像１３０６がサムネイル用に加工された縮小サムネイル画像１３０
７が保存され、タイトル１３０１ａのタイトル情報エリア内には、このサムネイル記録テ
ーブル１３０９内の縮小サムネイル画像１３０７の位置情報が保存されている。また、第
２週目以降のタイトル１３０１ｂ〜１３０１ｄのタイトル情報エリア内にも、同一の縮小
サムネイル画像１３０７の位置情報が保存され、これによって、タイトル１３０１ａ〜１
３０１ｄの縮小サムネイル画像１３０７として、共通の画像が設定される。その結果、こ
れらのタイトル１３０１ａ〜１３０１ｄがサムネイル表示される場合には、共通の画像に
各タイトル固有情報１３１０ａ〜１３１０ｄが合成された合成サムネイル画像１３０８ａ
〜１３０８ｄが作成されて、表示画面上に配列表示されることによって、サムネイル一覧
表示が行われる。なお、サムネイル表示の際には、表示画面には、各タイトル１３０１ａ
〜１３０１ｄに関して、図４Ｂに図示されているサムネイル画像が表示される。
【０１０４】
次に、図１３に図示されているサムネイル表示を実現するためのサムネイル登録処理及
びサムネイル表示処理について説明する。図１４Ａは、本発明の第４の実施の形態におい
て、記録媒体に記録されているタイトルに関してサムネイルを登録する場合のユーザ操作
の一例を示すフローチャートであり、図１４Ｂは、本発明の第４の実施の形態において、
記録媒体に記録されているサムネイル一覧を表示する場合の処理の一例を示すフローチャ
ートである。
【０１０５】
まず、図１４Ａを参照しながら、サムネイルの登録を行う場合について説明する。図１
４Ａに示すように、まず、ユーザは、親サムネイルが設定されているタイトルが存在する
か否かを判断する（ステップＳ１４０１）。なお、このステップＳ１４０１では、親タイ
トルとして用いられるタイトル（ここでは、タイトル１３０１ａ）に、親サムネイル画像
として用いられるサムネイル元画像１３０６が既に設定されているか否かの判断が行われ
る。ここで、親タイトルが存在しない場合には、続いて、親タイトルとなり得る候補（親
タイトル候補）が存在するか否か（すなわち、親タイトルとして利用するタイトルにサム
ネイルの登録を行うか否か）を判断し（ステップＳ１４０２）、親サムネイル画像を設定
するタイトルが存在しない場合（すなわち、親タイトルを設定しない場合）には、処理は
終了となる。
【０１０６】
一方、親サムネイルを設定するタイトル候補が存在する場合（ステップＳ１４０２で『
はい』）には、ユーザは、このタイトル候補のタイトルデータの再生などによってタイト
ルデータ内の画像の閲覧を行いながら、サムネイル画像として適切な画像の検索を行う（
ステップＳ１４０３）。このとき、サムネイル画像として適切な画像が見つからなかった
場合（ステップＳ１４０４で『いいえ』）には、例えば、ステップＳ１４０２に戻って、
親サムネイル画像を設定する別のタイトル候補の選択を行う。また、親サムネイルとして
適切な画像が見つかった場合（ステップＳ１４０４で『はい』）には、その画像をサムネ
イル元画像として取得し（ステップＳ１４０５）、このサムネイル元画像（図１３に示す
サムネイル元画像１３０６）をサムネイルのサイズに縮小するなどの処理を行って縮小サ
ムネイル画像（図１３に示す縮小サムネイル画像１３０７）を作成する（ステップＳ１４
０６）。そして、記録再生装置は、作成された縮小サムネイル画像を、任意の場所（例え
ば、タイトルが記録されている記録媒体と同一の記録媒体）に置かれているサムネイル記
録テーブル（図１３に示すサムネイル記録テーブル１３０９）内に保存する（ステップＳ
１４０７）とともに、サムネイル記録テーブル内におけるサムネイル画像の位置情報を、
タイトル情報エリアのタイトルポインタ（図１３に示すタイトルポインタ１３１２ａ）に
設定する（ステップＳ１４０８）。これにより、親タイトルのタイトルデータ内のサムネ
イル元画像から作成された縮小サムネイル画像が、サムネイル記録テーブルに保存される
。
【０１０７】
また、親タイトルが存在する場合（ステップＳ１４０１で『はい』）や、ステップＳ１
４０８で親サムネイル画像が保存された場合には、この親タイトルの親サムネイル画像を
共通のサムネイル画像として設定すべきタイトルが存在するか否かを判断する（ステップ
Ｓ１４０９）。図１３の例では、タイトル１３０１ａを親タイトルとして設定するタイト
ル１３０１ｂ〜１３０１ｄが、親サムネイル画像を共通のサムネイル画像として設定する
タイトルである。なお、ここで、この親サムネイル画像を共通のサムネイル画像として設
定するタイトルが存在しない場合（ステップＳ１４０９で『いいえ』）には、処理は終了
となる。
【０１０８】
一方、この親サムネイル画像を共通のサムネイル画像として設定するタイトルが存在す
る場合（ステップＳ１４０９で『はい』）には、親タイトルのタイトル情報エリアからタ
イトルポインタ（図１３に示すタイトルポインタ１３１２ａ）を取得し（ステップＳ１４
１０）、取得したタイトルポインタ（すなわち、親タイトルと同一のサムネイル画像を指
定するタイトルポインタ）を、このタイトルのタイトル情報エリア内のタイトルポインタ
（図１３に示すタイトルポインタ１３１２ｂ〜１３１２ｄ）として保存する（ステップＳ
１４１１）。そして、別のタイトルに対して親サムネイルの設定を行うために、ステップ
Ｓ１４０９に戻る。これにより、親タイトル（図１３に示すタイトル１３０１ａ）が指定
するサムネイル記録テーブル内の縮小サムネイル画像が、他のタイトル（タイトル１３０
１ｂ〜１３０１ｄ）においても指定されるようになる。
【０１０９】
次に、図１４Ｂを参照しながら、図１４Ａに示す登録処理が行われたタイトルのサムネ
イル表示を行う場合について説明する。図１４Ｂに示すように、ユーザ要求によって記録
媒体に記録されたタイトルのサムネイル表示処理が開始された場合、まず、記録再生装置
は、記録媒体内に表示対象となるタイトルが存在するか否かを判断する（ステップＳ１４
２１）。ここで、サムネイルの表示処理を行う対象のタイトルが存在しない場合には、処
理は終了となる。
【０１１０】
一方、サムネイルの表示処理を行う対象のタイトルが存在する場合には、記録再生装置
は、サムネイル表示させるタイトルのタイトル情報エリアを読み取り、タイトル情報エリ
ア内に設定保存されているタイトルポインタを取得する（ステップＳ１４２２）。なお、
このタイトルポインタは、上述のように、親タイトルに設定されたタイトルポインタと同
一であり、すなわち、親タイトルと同一の縮小サムネイル画像を指定するものである。
【０１１１】
そして、サムネイル記録テーブルを読み出して、このサムネイル記録テーブルから、上
記のタイトルポインタの位置情報によって特定される縮小サムネイル画像を読み出す（ス
テップＳ１４２３）とともに、サムネイルの表示処理を行う対象のタイトルのタイトル情
報エリア内に存在するタイトル固有情報を取得し（ステップＳ１４２４）、取得したタイ
トル固有情報と縮小サムネイル画像とを合成して、合成サムネイル画像を作成する（ステ
ップＳ１４２５）。そして、記録再生装置は、この合成サムネイル画像を表示画面に表示
する（ステップＳ１４２６）。その後、別のタイトルに対するサムネイル表示を行うため
に、ステップＳ１４２１に戻って同様の処理を行う。
【０１１２】
以上、説明したように、本発明の第４の実施の形態におけるサムネイル登録処理及びサ
ムネイル表示処理が行われることにより、図１３に示すように、親タイトル内のサムネイ
ル元画像に基づいて、記録媒体内に記録されたタイトル一覧がサムネイル表示される。こ
れにより、関連のあるタイトルに関しては、共通の画像がサムネイル画像として使用され
るとともに、各タイトル固有情報もサムネイル画像としてサムネイル表示されるので、ユ
ーザは、サムネイル表示によって、複数のタイトルの中から関連のあるタイトルを容易に
同定することが可能となり、関連のあるタイトル同士を容易に識別することが可能となる
。すなわち、例えば、連続ドラマなどのような関連のあるタイトルは同一図柄のサムネイ
ル画像によってサムネイル表示されるとともに、放送回数や日付などのタイトル固有情報
もサムネイル画像の一部として表示されるようになる。
【０１１３】
＜本発明の第５の実施の形態＞
次に、図１５、図１６、図１７Ａ、図１７Ｂを参照しながら、本発明の第５の実施の形
態について説明する。図１５は、本発明の第５の実施の形態におけるサムネイル表示の概
要を示す図である。図１５には、記録媒体に記録されているタイトル１５０１の任意の場
面（サムネイル元画像１５０６）が表示画面にサムネイルとして表示される様子が模式的
に図示されている。記録媒体に記録されるタイトル１５０１は、タイトルスタート情報１
５０２と、タイトル名やタイトルポインタ１５１２やタイトル固有情報（放送回数や日時
などの情報）１５１０を付加するタイトル情報エリア１５０３と、実際の録画データ（コ
ンテンツデータ）の格納部に相当するタイトルデータ１５０４と、データの終わりを示す
タイトルエンド情報１５０５とにより構成されている。
【０１１４】
本発明の第５の実施の形態では、タイトル情報エリア１５０３には、タイトル固有情報
１５１０とタイトルポインタ１５１２が保存され、サムネイル記録テーブル１５０９には
、タイトル固有情報１５１０と縮小サムネイル画像とが合成された合成サムネイル画像１
５０８が保存される。すなわち、本発明の第５の実施の形態では、サムネイル登録の際に
、タイトル固有情報１５１０と縮小サムネイル画像とが合成されて合成サムネイル画像１
５０８が作成され、この合成サムネイル画像１５０８がサムネイル記録テーブル１５０９
に保存されるとともに、サムネイル記録テーブル１５０９内の合成サムネイル画像１５０
８の位置情報がタイトルポインタ１５１２としてタイトル情報エリア１５０３内に保存さ
れる。そして、サムネイル表示の際には、単に、このタイトル情報エリア１５０３内のタ
イトルポインタ１５１２に基づいて、サムネイル記録テーブル１５０９内の合成サムネイ
ル画像１５０８が読み出されて、表示画面に表示される。
【０１１５】
また、本発明の第４の実施の形態と同様に、各タイトル１５０１において、各タイトル
１５０１のサムネイル表示に使用される画像がそれぞれ独立してサムネイル記録テーブル
１５０９に保存されるのではなく、あるタイトル１５０１の合成サムネイル画像１５０８
の作成に使用されたサムネイル元画像１５０６が共通して、他のタイトル１５０１の合成
サムネイル画像１５０８の作成の際のサムネイル元画像１５０６に使用されるようにする
ことも可能である。下記の図１６に図示されているようなサムネイル設定方法を用いるこ
とで、ユーザが各タイトル１５０１に関して、サムネイル画像を設定する手間が削減され
るとともに、各タイトル１５０１を確実に識別することを可能とするサムネイル表示が実
現される。
【０１１６】
図１６は、本発明の第５の実施の形態において、複数のタイトルのサムネイル一覧表示
の概要を示す図である。なお、図１６には、複数のタイトル１６０１ａ〜１６０１ｄとし
て、毎週繰り返し録画されたドラマ（第１週目〜第４週目の４つのタイトル１６０１ａ〜
１６０１ｄ）が図示されている。図１６では、第１週目に録画されたタイトル１６０１ａ
のサムネイル画像として、このタイトル１６０１ａのタイトルデータ内の特定の画像が設
定されている。すなわち、サムネイル記録テーブル１６０９には、タイトル１６０１ａの
タイトルデータ内のサムネイル元画像１６０６がサムネイル用に加工された縮小サムネイ
ル画像に、タイトル１６０１ａのタイトル固有情報１６１０ａが合成された合成サムネイ
ル画像１６０８ａが保存され、タイトル１６０１ａのタイトル情報エリア内には、この合
成サムネイル画像１６０８ａを特定するためのタイトルポインタ１６１２ａが保存されて
いる。また、第２週目以降のタイトル１６０１ｂ〜１６０１ｄのタイトル情報エリア内に
も、タイトル１６０１ａのサムネイル元画像１６０６の縮小サムネイル画像に各タイトル
固有情報１６１０ｂ〜１６１０ｄが合成された合成サムネイル画像１６０８ｂ〜１６０８
ｄを特定するためのタイトルポインタ１６１２ｂ〜１６１２ｄが保存され、これによって
、タイトル１６０１ａ〜１６０１ｄのサムネイル画像として、共通の縮小サムネイル画像
に基づいて作成された合成サムネイル画像１６０８ａ〜１６０８ｄが設定される。その結
果、これらのタイトル１６０１ａ〜１６０１ｄがサムネイル表示される場合には、単に、
各タイトル１６０１ａ〜１６０１ｄの合成サムネイル画像１６０８ａ〜１６０８ｄがサム
ネイル記録テーブル１６０９から読み出されて、表示画面に配列表示されることによって
、サムネイル一覧表示が行われる。
【０１１７】
次に、図１６に図示されているサムネイル表示を実現するためのサムネイル登録処理及
びサムネイル表示処理について説明する。図１７Ａは、本発明の第５の実施の形態におい
て、記録媒体に記録されているタイトルに関してサムネイルを登録する場合のユーザ操作
の一例を示すフローチャートであり、図１７Ｂは、本発明の第５の実施の形態において、
記録媒体に記録されているサムネイル一覧を表示する場合のデータ再生装置の処理の一例
を示すフローチャートである。
【０１１８】
まず、図１７Ａを参照しながら、サムネイルの登録を行う場合について説明する。図１
７Ａに示すように、まず、ユーザは、親サムネイルが設定されているタイトルが存在する
か否かを判断する（ステップＳ１７０１）。なお、このステップＳ１７０１では、親タイ
トルとして用いられるタイトル（ここでは、タイトル１６０１ａ）に、親サムネイル画像
として用いられるサムネイル元画像１６０６が既に設定されているか否かの判断が行われ
る。ここで、親タイトルが存在しない場合には、続いて、親タイトルとなり得る候補（親
タイトル候補）が存在するか否か（すなわち、親タイトルとして利用するタイトルにサム
ネイルの登録を行うか否か）を判断し（ステップＳ１７０２）、親サムネイル画像を設定
するタイトルが存在しない場合（すなわち、親タイトルを設定しない場合）には、処理は
終了となる。
【０１１９】
一方、親サムネイルを設定するタイトル候補が存在する場合（ステップＳ１７０２で『
はい』）には、ユーザは、このタイトル候補のタイトルデータの再生などによってタイト
ルデータ内の画像の閲覧を行いながら、サムネイル画像として適切な画像の検索を行う（
ステップＳ１７０３）。このとき、サムネイル画像として適切な画像が見つからなかった
場合（ステップＳ１７０４で『いいえ』）には、例えば、ステップＳ１７０２に戻って、
親サムネイル画像を設定する別のタイトル候補の選択を行う。また、親サムネイルとして
適切な画像が見つかった場合（ステップＳ１７０４で『はい』）には、その画像をサムネ
イル元画像として取得し（ステップＳ１７０５）、このサムネイル元画像(図１６に示す
サムネイル元画像１６０６)をサムネイルのサイズに縮小するなどの処理を行って縮小サ
ムネイル画像を作成する（ステップＳ１７０６）。そして、サムネイルの表示処理を行う
対象のタイトルのタイトル情報エリア内に存在するタイトル固有情報を取得し（ステップ
Ｓ１７０７）、取得したタイトル固有情報と縮小サムネイル画像とを合成して、合成サム
ネイル画像(図１６に示す合成サムネイル画像１６０８ａ)を作成する（ステップＳ１７０
８）。そして、記録再生装置は、作成された合成サムネイル画像を、任意の場所（例えば
、タイトルが記録されている記録媒体と同一の記録媒体）に置かれているサムネイル記録
テーブル(図１６に示すサムネイル記録テーブル１６０９)内に保存する（ステップＳ１７
０９）とともに、サムネイル記録テーブル内におけるサムネイル画像の位置情報を、タイ
トル情報エリアのタイトルポインタ（図１６に示すタイトルポインタ１６１２ａ）に設定
する（ステップＳ１７１０）。これにより、親タイトルのタイトルデータ内のサムネイル
元画像から作成された合成サムネイル画像が、サムネイル記録テーブルに保存される。
【０１２０】
また、親タイトルが存在する場合（ステップＳ１７０１で『はい』）や、ステップＳ１
７１０で親サムネイル画像が保存された場合には、この親タイトルの親サムネイル画像を
共通のサムネイル画像として設定すべきタイトルが存在するか否かを判断する（ステップ
Ｓ１７１１）。図１６の例では、タイトル１６０１ａを親タイトルとして設定するタイト
ル１６０１ｂ〜１６０１ｄが、親サムネイル画像を共通のサムネイル画像として設定する
タイトルである。なお、ここで、この親サムネイル画像を共通のサムネイル画像として設
定するタイトルが存在しない場合（ステップＳ１７１１で『いいえ』）には、処理は終了
となる。
【０１２１】
一方、この親サムネイル画像を共通のサムネイル画像として設定するタイトルが存在す
る場合（ステップＳ１７１１で『はい』）には、親タイトルのサムネイル画像に使用され
た親タイトルのタイトルデータ内の画像（図１６に示すサムネイル元画像１６０６）を読
み取る（ステップＳ１７１２）。なお、上述の本発明の第４の実施の形態と同様に、例え
ば、サムネイル記録テーブル内のサムネイル画像のフォーマットがレイヤ構造を有してお
り、画像部分とタイトル固有情報との分離が可能な場合や、サムネイル画像におけるタイ
トル固有情報の挿入位置があらかじめ定められている場合には、ステップＳ１７１１で、
親タイトルのタイトルデータを読み取らずに、サムネイル記録テーブルから親タイトルの
合成サムネイル画像を取得してもよい。
【０１２２】
そして、記録再生装置は、このサムネイル元画像をサムネイルのサイズに縮小するなど
の処理を行って縮小サムネイル画像を作成する（ステップＳ１７１３）とともに、サムネ
イルの登録対象のタイトルのタイトル情報エリア内に存在するタイトル固有情報を取得し
（ステップＳ１７１４）、取得したタイトル固有情報と縮小サムネイル画像とを合成して
、合成サムネイル画像（図１６に示す合成サムネイル画像１６０８ｂ〜１６０８ｄ）を作
成する（ステップＳ１７１５）。作成された合成サムネイル画像は、任意の場所（例えば
、タイトルが記録されている記録媒体と同一の記録媒体）に置かれているサムネイル記録
テーブル内に保存され（ステップＳ１７１６）、さらに、サムネイル記録テーブル内にお
けるサムネイル画像の位置情報がタイトル情報エリアのタイトルポインタ（図１６に示す
タイトルポインタ１６１２ｂ〜１６１２ｄ）に設定される（ステップＳ１７１７）。そし
て、別のタイトルに対して親サムネイルの設定を行うために、ステップＳ１７１１に戻る
。これにより、親タイトル（図１６に示すタイトル１６０１ａ）が指定するサムネイル記
録テーブル内の合成サムネイル画像（図１６に示す合成サムネイル画像１６０８ａ）と、
他のタイトル（図１６に示すタイトル１６０１ｂ〜１６０１ｄ）が指定するサムネイル記
録テーブル内の合成サムネイル画像とが、同一の図柄を有するものとなる。
【０１２３】
次に、図１７Ｂを参照しながら、図１７Ａに示す登録処理が行われたタイトルのサムネ
イル表示を行う場合について説明する。なお、図１７Ｂに図示されているフローチャート
は、サムネイル記録テーブル内の画像が、タイトル固有情報が合成された合成サムネイル
画像か否かの違いを除いて、図２５Ｂと同一である。すなわち、基本的には、従来の技術
の第３の例に示す記録再生装置によって、図１７Ａに示す登録処理が行われたタイトルの
サムネイル表示を行うことが可能である。
【０１２４】
図１７Ａに示す登録処理が行われたタイトルのサムネイル表示を行う場合には、図１７
Ｂに示すように、ユーザ要求によって記録媒体に記録されたタイトルのサムネイル表示処
理が開始された場合、まず、記録再生装置は、記録媒体内に表示対象となるタイトルが存
在するか否かを判断する（ステップＳ１７２１）。ここで、サムネイルの表示処理を行う
対象のタイトルが存在しない場合には、処理は終了となる。
【０１２５】
一方、サムネイルの表示処理を行う対象のタイトルが存在する場合には、記録再生装置
は、サムネイル表示させるタイトルのタイトル情報エリアを読み取り、タイトル情報エリ
ア内に設定保存されているタイトルポインタを取得する（ステップＳ１７２２）。そして
、サムネイル記録テーブルを読み出すとともに、このサムネイル記録テーブルから、上記
のタイトルポインタの位置情報によって特定される合成サムネイル画像を読み出し（ステ
ップＳ１７２３）、読み出された合成サムネイル画像を表示画面に表示する（ステップＳ
１７２４）。その後、別のタイトルに対するサムネイル表示を行うためにステップＳ１７
２１に戻って同様の処理を行う。
【０１２６】
以上、説明したように、本発明の第５の実施の形態におけるサムネイル登録処理及びサ
ムネイル表示処理が行われることにより、図１６に示すように、親タイトル内のサムネイ
ル元画像に基づいて、記録媒体内に記録されたタイトル一覧がサムネイル表示される。こ
れにより、関連のあるタイトルに関しては、共通の画像がサムネイル画像として使用され
るとともに、各タイトル固有情報もサムネイル画像としてサムネイル表示されるので、ユ
ーザは、サムネイル表示によって、複数のタイトルの中から関連のあるタイトルを容易に
同定することが可能となり、関連のあるタイトル同士を容易に識別することが可能となる
。すなわち、例えば、連続ドラマなどのような関連のあるタイトルは同一図柄のサムネイ
ル画像によってサムネイル表示されるとともに、放送回数や日付などのタイトル固有情報
もサムネイル画像の一部として表示されるようになる。
【０１２７】
上述のように、本発明の第１〜第５の実施の形態によれば、特定のタイトル（親タイト
ル）と関連のあるタイトルのサムネイル画像が、特定のタイトルのサムネイル画像と同一
の図柄によって実現される。これにより、ユーザは、親タイトルに関連のあるタイトルに
対してサムネイル登録を行う場合、親タイトルで用いられているサムネイル画像を使用す
ることができるようになり、親タイトルに関連のあるタイトルに対してサムネイル登録を
行う場合のユーザ操作（例えば、サムネイル用の図柄の探索、設定など）を容易にすると
ともに、ユーザ操作の手間が削減されるようになる。
【０１２８】
また、関連のあるタイトル（連続ドラマなどのような関連タイトル）に関しては、共通
の画像（同一図柄の画像）がサムネイル画像として使用されるとともに、各タイトル固有
情報がサムネイル画像内に合成されるので、ユーザは、サムネイル表示を閲覧した場合に
、同一図柄の同定によって複数のタイトルの中から関連のあるタイトルを直感的に識別す
ることが可能となり、さらには、合成されたタイトル固有情報から、関連のあるタイトル
同士を容易に識別することが可能となる。
【０１２９】
＜本発明の第６の実施の形態＞
次に、図１８及び図１９を参照しながら、本発明の第６の実施の形態について説明する
。なお、本発明の第６の実施の形態では、本発明を予約録画に採用した場合について説明
する。本発明は、既に記録媒体に記録されているタイトルだけではなく、これから録画を
行うための予約録画などにも適用可能であり、これにより、ユーザのタイトル管理は格段
に容易なものとなる。
【０１３０】
図１８は、本発明の第６の実施の形態において用いられる予約録画設定テーブルの一例
を示す図である。本発明の第６の実施の形態における予約録画設定では、図１８に図示さ
れているような予約録画設定テーブルに予約録画情報が設定される。図１８に図示されて
いる予約録画設定テーブルには、従来の予約録画設定テーブル（図２６参照）と同様に、
予約録画を行う番組のチャンネルを示す予約録画チャンネル（録画ＣＨ）１８０１、予約
録画を行う日付（曜日指定や、毎日、毎週などの繰り返し録画を指定する情報を含む）を
示す録画日１８０２、録画開始時刻１８０３、録画終了時刻１８０４、録画モード１８０
５、記録先１８０６、ジャンル１８０７、番組名１８０８の項目の存在に加えて、サムネ
イル画像に合成するタイトル固有情報を示す合成情報１８０９、親サムネイルの存在の有
無を示すサムネイル共通化情報１８１０、親サムネイルや親タイトルを指定するサムネイ
ル指定情報１８１１などの項目が含まれている。
【０１３１】
例えば、図１８に図示されている予約録画設定テーブルのＮｏ３では、予約録画チャン
ネル１８０１が「１０ｃｈ」、録画日１８０２が「毎週金曜日」、録画開始時刻１８０３
が「ＰＭ９：００」、録画終了時刻１８０４が「ＰＭ９：５４」、録画モード１８０５が
「普通モード」、記録先１８０６が「ＨＤＤ」、ジャンル１８０７が「ドラマ」、番組名
１８０８が「なし」、合成情報１８０９が「回数」、サムネイル共通化情報１８１０が「
ＯＮ」、サムネイル指定情報１８１１が「１回目の録画タイトル（１週目）」の予約録画
が設定されている。
【０１３２】
上記の合成情報１８０９の「回数」は、録画された各タイトルのタイトル固有情報のう
ちの番組の回数に関する情報（「１回」、「２回」、「３回」・・・などの情報）の合成
を指定するものである。なお、合成情報１８０９はタイトル固有情報に対応しており、タ
イトル固有情報に含まれる任意の情報種別を、合成情報１８０９において指定することが
可能である。
【０１３３】
また、サムネイル共通化情報１８１０の「ＯＮ」は、親サムネイル（親タイトル）が存
在していることを示すものである。また、サムネイル指定情報１８１１の「１回目の録画
タイトル（１週目）」は、１回目の録画タイトル（１週目）を親タイトルとして指定する
ものである。なお、サムネイル指定情報１８１１として、例えば、親タイトルのタイトル
情報エリアに含まれているサムネイルポインタ及びその親タイトルを指定する情報や、タ
イトルポインタなどの情報が記載されてもよい。また、ユーザがサムネイル指定情報１８
１１に親タイトルの指定を行わない場合には、あらかじめ定められた情報（例えば、予約
録画されたタイトル自身の先頭の画像を指定する情報など）が設定されるようにしてもよ
い。
【０１３４】
この結果、図１８に図示されている予約録画設定テーブルのＮｏ３の予約録画により、
２週目の以降の録画タイトルに対して、１週目のタイトルで設定されているサムネイル画
像と同一の図柄を有するとともに、更に各タイトルの回数に関する情報が合成された画像
がサムネイル画像として自動的に設定されることになる。
【０１３５】
このように、連続ドラマの１回目の録画タイトルのサムネイル画像をドラマのオープニ
ング画像などに設定しておくことにより、その他の録画タイトル（２回目以降の録画タイ
トル）のサムネイル画像が、各回を識別できる表示を有する形式で自動的に設定される。
したがって、記録媒体内に数多くのタイトルが混在している場合でも、ユーザは、同一の
図柄を視認することによって、この連続ドラマのタイトルを直感的かつ迅速に探し出すこ
とが可能となり、さらに、合成されている回数情報を視認することによって、連続ドラマ
の連続性（前後関係）などを容易に識別することが可能となる。
【０１３６】
次に、図１９を参照しながら、本発明の第６の実施の形態における予約録画の動作の一
例について説明する。図１９は、本発明の第６の実施の形態における予約録画の動作の一
例を示すフローチャートである。
【０１３７】
図１９において、ユーザが予約録画プログラムの設定を開始した場合には、まず、予約
録画プログラムの設定を支援するプログラム（予約録画ナビ）が起動される（ステップＳ
１９０１）。ユーザは、この予約録画ナビに従って、予約録画チャンネル、録画日、予約
録画時間（録画開始時刻及び録画終了時刻）、録画モード及び記録先、ジャンルや番組名
などの設定を行う（ステップＳ１９０２〜Ｓ１９０６）。なお、ここまでは、従来の技術
に係る予約録画の動作（図２７に示すステップＳ２７０１〜Ｓ２７０６）と同一である。
【０１３８】
次に、ユーザは、サムネイル画像への合成情報として使用するタイトル固有情報を選択
する（ステップＳ１９０７）。なお、ステップＳ１９０７の処理では、例えば、表示画面
上に、タイトル固有情報に含まれる複数の種別が表示され、ユーザが、これらの種別から
所望の種別（サムネイル画像に合成させる種別）を選択できるようにすることが望ましい
。このステップＳ１９０７の処理によって、予約録画設定テーブルの合成情報（図１８に
示す合成情報１８０９）の項目が設定される。
【０１３９】
さらに、ユーザは、この予約録画されるタイトルのサムネイルを他のタイトルと共通に
するか否かを指定する（ステップＳ１９０８）。なお、このステップＳ１９０８の処理に
よって、予約録画設定テーブルのサムネイル共通化情報（図１８に示すサムネイル共通化
情報１８１０）の項目に、他のタイトルと同一の図柄のサムネイル画像を設定するか否か
の情報が設定される。他のタイトルとサムネイル画像を共有するサムネイル共通化を行わ
ない場合には、例えばサムネイル指定情報（図１８に示すサムネイル指定情報１８１１）
には、あらかじめ定められた画像を指定する情報が挿入されて、予約録画実行待ちとなる
（ステップＳ１９１０）。
【０１４０】
一方、他のタイトルとサムネイル画像を共有するサムネイル共通化を実施する場合には
、ユーザによって親タイトルが指定された後（ステップＳ１９０９）、予約録画実行待ち
となる（ステップＳ１９１０）。なお、このステップＳ１９０９の処理によって、予約録
画設定テーブルのサムネイル指定情報の項目に、親タイトルとして使用するタイトルが設
定される。
【０１４１】
このようにして予約録画実行待ち状態となった予約録画は、録画開始時刻となったとき
に実際に実施される。そして、予約録画が実施されて記録媒体にタイトルが記録された場
合には、記録再生装置は、予約録画設定テーブルのサムネイル指定情報を参照し、親タイ
トルの設定の有無を判別する（ステップＳ１９１１）。このとき、サムネイル指定情報に
おいて親タイトルが指定されている場合には、予約録画によって記録媒体に記録されたタ
イトルのサムネイル画像として親タイトルと同一の図柄となるサムネイル画像（共通サム
ネイル画像）が自動的に設定される（ステップＳ１９１２）。なお、ステップＳ１９１２
では、上述の本発明の第１〜第５の実施の形態のいずれかのサムネイル登録処理によって
、予約録画されたタイトルのサムネイル設定が行われる。また、ステップＳ１９１２にお
いて、自身が親タイトルとなるタイトル（例えば繰り返し録画の初回に録画されるタイト
ルなど）に関しては、そのタイトル自身のタイトルデータ内の画像がサムネイルとして自
動的に設定される。
【０１４２】
一方、親タイトルの設定が存在しない場合（すなわち、サムネイル指定情報においてタ
イトルが指定されていない場合）には、このタイトルは、相互にサムネイルを共有しない
単独のタイトルであり、このタイトルに対して、サムネイル画像が設定される（ステップ
Ｓ１９１３）。なお、ステップＳ１９１３でサムネイルが設定されたタイトルが親タイト
ルとして設定されるものである場合には、このタイトルに新たに設定されたサムネイル画
像が親サムネイル画像として用いられる。
【０１４３】
そして、ステップＳ１９１２又はステップＳ１９１３の処理の後、この予約録画が繰り
返し録画ではない場合（ステップＳ１９１４で『いいえ』）には、この予約録画は終了と
なる。一方、この予約録画が繰り返し録画の場合（ステップＳ１９１４で『はい』）には
、ステップＳ１９１０に戻り、再度、次の録画日及び録画開始時刻が来るまで予約録画実
行待ち状態となる。
【０１４４】
以上のように、本発明の第６の実施の形態では、いったん親サムネイルの指定が行われ
た場合（図１９に示すステップＳ１９０９の処理）には、以降、繰り返し録画されるタイ
トルに関しては、ステップＳ１９１２で自動的に同一図柄の共通サムネイル画像を利用し
たサムネイルの設定が行われることになる。したがって、ステップＳ１９０９におけるサ
ムネイルの共有設定（親タイトルを指定する処理）の際に、番組のオープニング画像など
をサムネイル画像として設定すれば、以降、繰り返し録画される同一番組のタイトルに対
して、同一図柄上に各タイトルの内容や回数などが合成されたサムネイル画像が自動的に
設定されることになる。
【０１４５】
これによって、毎週や毎日のように繰り返し録画によって増えていくタイトルに関して
、ユーザが個々のタイトルに対してサムネイル登録処理を行わずに、何の番組のタイトル
か、あるいは同一番組の何回目かなどを直感的に判断できるサムネイルが自動的に設定さ
れることになり、ユーザは、記録媒体内に蓄積されたタイトルを容易に把握し管理するこ
とが可能となる。
【産業上の利用可能性】
【０１４６】
本発明は、関連のある複数のタイトルのそれぞれに係るサムネイル画像に関して、同一
の図柄上に各タイトルの固有の情報が合成されたサムネイル画像を実現するので、サムネ
イル登録の際のユーザ操作性が向上するとともに、記録媒体内の複数のタイトルから、関
連のあるタイトル同士を容易に特定することを可能とし、さらに、関連のあるタイトル同
士を容易に識別することを可能とするサムネイル表示が実現されるという効果を奏し、光
ディスク、ＨＤＤ、半導体メモリなどの大容量の記録媒体に映像データを記録した際の管
理に係る技術分野や、サムネイル画像を用いて、記録媒体に記録されているコンテンツの
見出し表示を行う技術分野に適用可能である。
【符号の説明】
【０１４７】
１００  記録再生装置
１０１  入力部
１０２  入力信号処理部
１０３  記録処理部
１０４  出力信号処理部
１０５  出力部
１０６  ユーザ制御部
１０７  表示部
１０８  制御部
２０１  記録信号処理部
２０２  記録制御部
２０３  記録媒体管理部
２０４、２０５  記録媒体
２０６  再生制御部
２０７  再生信号処理部
２０８  システムタイマ部
２０９  予約録画制御部
２１０  システム制御部
３０１、４０１ａ〜４０１ｄ、６０１、７０１ａ〜７０１ｄ、９０１、１００１ａ〜１
００１ｄ、１２０１、１３０１ａ〜１３０１ｄ、１５０１、１６０１ａ〜１６０１ｄ、２
００１、２２０１、２４０１  タイトル
３０２、６０２、９０２、１２０２、１５０２、２００２、２２０２、２４０２  タイ
トルスタート情報
３０３、６０３、９０３、１２０３、１５０３、２００３、２２０３、２４０３  タイ
トル情報エリア
３０４、６０４、９０４、１２０４、１５０４、２００４、２２０４、２４０４  タイ
トルデータ
３０５、６０５、９０５、１２０５、１５０５、２００５、２２０５、２４０５  タイ
トルエンド情報
３０６、４０６、６０６、７０６、９０６、１００６、１２０６、１３０６、１５０６
、１６０６、２００６、２２０６、２４０６  サムネイル元画像
３０７、４０７、６０７、７０７、１２０７、１３０７、２００７、２２０７、２４０
７  縮小サムネイル画像
３０８、４０８ａ〜４０８ｄ、６０８、７０８ａ〜７０８ｄ、９０８、１００８ａ〜１
００８ｄ、１３０８ａ〜１３０８ｄ、１５０８、１６０８ａ〜１６０８ｄ  合成サムネイ
ル画像
３１０、４１０ａ〜４１０ｄ、６１０、７１０ａ〜７１０ｄ、９１０、１０１０ａ〜１
０１０ｄ、１２１０、１３１０ａ〜１３１０ｄ、１５１０、１６１０ａ〜１６１０ｄ  タ
イトル固有情報
３１１、４１１ａ〜４１１ｄ、２０１１  サムネイルポインタ
１２０９、１３０９、１５０９、１６０９、２４０９  サムネイル記録テーブル
１２１２、１３１２ａ〜１３１２ｄ、１５１２、１６１２ａ〜１６１２ｄ、２４１２  
タイトルポインタ
１８０１、２６０１  録画チャンネル（録画ＣＨ）
１８０２、２６０２  録画日
１８０３、２６０３  録画開始時刻
１８０４、２６０４  録画終了時刻
１８０５、２６０５  録画モード
１８０６、２６０６  記録先
１８０７、２６０７  ジャンル
１８０８、２６０８  番組名
１８０９  合成情報
１８１０  サムネイル共通化情報
１８１１  サムネイル指定情報
【図１】
0004919113.tif 000002
【図２】
0004919113.tif 000003
【図３】
0004919113.tif 000004
【図４Ａ】
0004919113.tif 000005
【図４Ｂ】
0004919113.tif 000006
【図５Ａ】
0004919113.tif 000007
【図５Ｂ】
0004919113.tif 000008
【図６】
0004919113.tif 000009
【図７】
0004919113.tif 000010
【図８Ａ】
0004919113.tif 000011
【図８Ｂ】
0004919113.tif 000012
【図９】
0004919113.tif 000013
【図１０】
0004919113.tif 000014
【図１１Ａ】
0004919113.tif 000015
【図１１Ｂ】
0004919113.tif 000016
【図１２】
0004919113.tif 000017
【図１３】
0004919113.tif 000018
【図１４Ａ】
0004919113.tif 000019
【図１４Ｂ】
0004919113.tif 000020
【図１５】
0004919113.tif 000021
【図１６】
0004919113.tif 000022
【図１７Ａ】
0004919113.tif 000023
【図１７Ｂ】
0004919113.tif 000024
【図１８】
0004919113.tif 000025
【図１９】
0004919113.tif 000026
【図２０】
0004919113.tif 000027
【図２１Ａ】
0004919113.tif 000028
【図２１Ｂ】
0004919113.tif 000029
【図２２】
0004919113.tif 000030
【図２３Ａ】
0004919113.tif 000031
【図２３Ｂ】
0004919113.tif 000032
【図２４】
0004919113.tif 000033
【図２５Ａ】
0004919113.tif 000034
【図２５Ｂ】
0004919113.tif 000035
【図２６】
0004919113.tif 000036
【図２７】
0004919113.tif 000037